(57)【要約】【課題】本発明は、画質を向上させる表示装置に関する。【解決手段】本発明の実施例による表示装置は、少なくとも１つの水平ラインに位置する第１画素を含む第１表示領域と、前記第１画素が位置する水平ラインとは異なる複数の水平ラインに位置する第２画素を含む第２表示領域と、上記第１表示領域と少なくとも部分的に重なるように位置するＩＲ（Ｉｎｆｒａ ｒｅｄ）光源と、を備え、上記ＩＲ光源が駆動される期間中にわたって、上記第１画素は非発光状態に設定される。【選択図】図３
2018032033.tif 000002
【特許請求の範囲】
【請求項１】
少なくとも１つの水平ラインに位置する第１画素を含む第１表示領域と、
前記第１画素が位置する水平ラインとは異なる複数の水平ラインに位置する第２画素を含む第２表示領域と、
前記第１表示領域と少なくとも部分的に重なるように位置するＩＲ（Ｉｎｆｒａ ｒｅｄ）光源と、を備え、
前記ＩＲ光源が駆動される期間中にわたって、前記第１画素は非発光状態に設定されることを特徴とする表示装置。
【請求項２】
前記ＩＲ光源が駆動される期間の間、前記第２画素はデータ信号に応じて駆動されることを特徴とする請求項１に記載の表示装置。
【請求項３】
前記ＩＲ光源は一フレーム期間の間駆動され、前記第１画素は前記一フレームの期間の間非発光状態に設定されることを特徴とする請求項１に記載の表示装置。
【請求項４】
前記ＩＲ光源は一フレーム期間の一部の期間である第１期間に駆動され、残りの期間である第２期間には駆動されないことを特徴とする請求項１に記載の表示装置。
【請求項５】
前記第１画素は前記第１期間中にわたって非発光状態に設定され、前記第２期間の間データ信号に応じて駆動されることを特徴とする請求項４に記載の表示装置。
【請求項６】
前記ＩＲ光源は、近接センサまたは指紋センサに含まれることを特徴とする請求項１に記載の表示装置。
【請求項７】
前記第１表示領域は、パネルの、向かって上側または下側に位置することを特徴とする請求項１に記載の表示装置。
【請求項８】
前記第１表示領域及び第２表示領域に配置された走査線を駆動するための走査駆動部と、
前記第１表示領域に位置する第１発光制御線及び前記第２表示領域に位置する第２発光制御線を駆動するための発光駆動部と、
前記第１表示領域及び第２表示領域に配置されたデータ線を駆動するためのデータ駆動部と、をさらに備えることを特徴とする請求項１に記載の表示装置。
【請求項９】
前記発光駆動部は、
前記第１発光制御線のそれぞれと接続される第１発光ステージと、
前記第２発光制御線のそれぞれと接続される第２発光ステージと、を備え、
前記第１発光ステージは第１開始信号に応じて駆動され、前記第２発光ステージは第２開始信号に応じて駆動されることを特徴とする請求項８に記載の表示装置。
【請求項１０】
前記ＩＲ光源が駆動される期間の間には、前記第１開始信号及び第２開始信号の幅が異なるように設定されることを特徴とする請求項９に記載の表示装置。
【請求項１１】
前記ＩＲ光源が駆動されない期間の間には、前記第１開始信号及び第２開始信号は同じ幅に設定されることを特徴とする請求項９に記載の表示装置。
【請求項１２】
前記第１発光制御線のそれぞれと基準電源とを連結する配線経路中に位置する第１スイッチをさらに備えることを特徴とする請求項９に記載の表示装置。
【請求項１３】
前記基準電源は、前記第１画素に含まれたトランジスタがターンオフできるようにゲートオフ電圧に設定されることを特徴とする請求項１２に記載の表示装置。
【請求項１４】
前記ＩＲ光源が駆動される期間の間、前記第１スイッチがターンオンされて前記基準電源の電圧が前記第１発光制御線に供給されることを特徴とする請求項１２に記載の表示装置。
【請求項１５】
前記ＩＲ光源が駆動される期間の間、前記第１開始信号は供給されないことを特徴とする請求項１４に記載の表示装置。
【請求項１６】
前記第１画素のそれぞれは、
有機発光ダイオードと、
データ信号に応じて第１電源から前記有機発光ダイオードを経由して第２電源に繋がる電流経路に供給される電流量を制御するための駆動トランジスタと、
前記電流経路に位置し、ゲート電極が前記第１発光制御線の何れか１つと接続される少なくとも１つの発光制御トランジスタを備えることを特徴とする請求項８に記載の表示装置。
【請求項１７】
前記発光制御トランジスタは、前記第１電源と前記駆動トランジスタとを連結する配線経路中に位置することを特徴とする請求項１６に記載の表示装置。
【請求項１８】
前記発光制御トランジスタは、前記駆動トランジスタと前記第２電源とを連結する配線経路中に位置することを特徴とする請求項１６に記載の表示装置。
【請求項１９】
前記発光制御トランジスタは、
前記第１電源と前記駆動トランジスタとを連結する配線経路中に位置する第１発光制御トランジスタと、
前記駆動トランジスタと前記第２電源とを連結する配線経路中に位置する第２発光制御トランジスタと、を備えることを特徴とする請求項１６に記載の表示装置。
【請求項２０】
複数の水平ラインに位置する第３画素を含む第３表示領域をさらに備えることを特徴とする請求項１に記載の表示装置。
【請求項２１】
前記第１表示領域は、前記第２表示領域と前記第３表示領域の間に位置することを特徴とする請求項２０に記載の表示装置。
【請求項２２】
前記ＩＲ光源が駆動される期間の間、前記第２画素及び第３画素は発光状態に設定されることを特徴とする請求項２０に記載の表示装置。
【請求項２３】
前記第１表示領域、第２表示領域、及び第３表示領域に配置された走査線を駆動するための走査駆動部と、
前記第１表示領域に位置する第１発光制御線、前記第２表示領域に位置する第２発光制御線、及び前記第３表示領域に位置する第３発光制御線を駆動するための発光駆動部と、
前記第１表示領域、前記第２表示領域、及び前記第３表示領域に配置されたデータ線を駆動するためのデータ駆動部と、をさらに備えることを特徴とする請求項２０に記載の表示装置。
【請求項２４】
前記発光駆動部は、
前記第１発光制御線のそれぞれと接続され、第１開始信号に応じて駆動される第１発光ステージと、
前記第２発光制御線のそれぞれと接続され、第２開始信号に応じて駆動される第２発光ステージと、
前記第３発光制御線のそれぞれと接続され、第３開始信号に応じて駆動される第３発光ステージと、を備えることを特徴とする請求項２３に記載の表示装置。
【請求項２５】
前記ＩＲ光源が駆動される期間の間、前記第１開始信号の幅は、前記第２開始信号及び前記第３開始信号の幅と異なるように設定されることを特徴とする請求項２４に記載の表示装置。
【請求項２６】
前記ＩＲ光源が駆動されない期間の間、前記第１開始信号、前記第２開始信号、及び前記第３開始信号の幅は、同一に設定されることを特徴とする請求項２４に記載の表示装置。
【発明の詳細な説明】
【技術分野】
【０００１】
本発明の実施例は表示装置に関し、特に画質を向上させる表示装置に関する。
【背景技術】
【０００２】
情報化技術が発達するに伴って、ユーザと情報の間の連結媒体である表示装置の重要性が浮き彫りになっている。これに応じて、液晶表示装置（Ｌｉｑｕｉｄ  Ｃｒｙｓｔａｌ  Ｄｉｓｐｌａｙ  Ｄｅｖｉｃｅ）及び有機電界発光表示装置（Ｏｒｇａｎｉｃ  Ｌｉｇｈｔ  Ｅｍｉｔｔｉｎｇ  Ｄｉｓｐｌａｙ  Ｄｅｖｉｃｅ）などの表示装置（Ｄｉｓｐｌａｙ  Ｄｅｖｉｃｅ）の使用が増加している。
【０００３】
表示装置のうち有機電界発光表示装置は、自発光素子である有機発光ダイオードを含む。このような有機電界発光表示装置は、低い消費電力で高い輝度を実現することができ、携帯用機器に主に使われている。
【０００４】
一方、携帯用機器のデッドスペース（Ｄｅａｄ  ｓｐａｃｅ）を低減させるために様々な方法が研究されている。例えば、携帯用機器に使われる様々なセンサを、映像を表示する画素領域に配置する方法が研究されている。しかし、センサを画素領域に配置する場合、画素が明点として認知されうる。
【先行技術文献】
【特許文献】
【０００５】
【特許文献１】米国特許第８８１０４８４号
【発明の概要】
【発明が解決しようとする課題】
【０００６】
従って、本発明は、デッドスペースを最小化するための表示装置を提供するものである。
【０００７】
また、本発明は、画質を向上させる表示装置を提供するものである。
【課題を解決するための手段】
【０００８】
本発明の実施例による表示装置は、少なくとも１つの水平ライン（走査線に沿った画素列）に位置する第１画素を含む第１表示領域と、前記第１画素が位置する水平ラインとは異なる複数の水平ラインに位置する第２画素を含む第２表示領域と、上記第１表示領域と少なくとも部分的に重なり、第２表示領域とは重ならないように位置するＩＲ（Ｉｎｆｒａ ｒｅｄ；赤外線）光源と、を備え、上記ＩＲ光源が駆動される期間中にわたって、上記第１画素は非発光状態に設定される。
【０００９】
また、上記ＩＲ光源が駆動される期間の間、上記第２画素は画像表示のためのデータ信号に応じて駆動される。
【００１０】
また、上記ＩＲ光源は一フレーム期間の間駆動され、上記第１画素は上記一フレームの期間の間非発光状態に設定される。
【００１１】
また、上記ＩＲ光源は、一フレーム期間の一部の期間である第１期間に駆動され、残りの期間である第２期間には駆動されない。
【００１２】
また、上記第１画素は上記第１期間中にわたって非発光状態に設定され、上記第２期間の間データ信号に応じて駆動される。
【００１３】
また、上記ＩＲ光源は、近接センサまたは指紋センサに含まれる。
【００１４】
また、上記第１表示領域は、パネルの上側または下側に位置する。
【００１５】
また、上記第１表示領域及び第２表示領域に配置された走査線を駆動するための走査駆動部と、上記第１表示領域に位置する第１発光制御線及び上記第２表示領域に位置する第２発光制御線を駆動するための発光駆動部と、上記第１表示領域及び第２表示領域に配置されたデータ線を駆動するためのデータ駆動部と、をさらに備える。
【００１６】
また、上記発光駆動部は、上記第１発光制御線のそれぞれと接続される第１発光ステージと、上記第２発光制御線のそれぞれと接続される第２発光ステージと、を備え、上記第１発光ステージは第１開始信号に応じて駆動され、上記第２発光ステージは第２開始信号に応じて駆動される。
【００１７】
また、上記ＩＲ光源が駆動される期間の間、上記第１開始信号及び第２開始信号の幅が異なるように設定される。
【００１８】
また、上記ＩＲ光源が駆動されない期間の間、上記第１開始信号及び第２開始信号は同じ幅に設定される。
【００１９】
また、上記第１発光制御線のそれぞれと基準電源とを連結する配線経路中に位置する第１スイッチをさらに備える。
【００２０】
また、上記基準電源は、上記第１画素に含まれたトランジスタがターンオフできるようにゲートオフ電圧に設定される。
【００２１】
また、上記ＩＲ光源が駆動される期間の間、上記第１スイッチがターンオンされて上記基準電源の電圧が上記第１発光制御線に供給される。
【００２２】
また、上記ＩＲ光源が駆動される期間の間、上記第１開始信号は供給されない。
【００２３】
また、上記第１画素のそれぞれは、有機発光ダイオードと、データ信号に応じて第１電源から上記有機発光ダイオードを経由して第２電源に繋がる電流経路に供給される電流量を制御するための駆動トランジスタと、上記電流経路に位置し、ゲート電極が上記第１発光制御線の何れか１つと接続される少なくとも１つの発光制御トランジスタを備える。
【００２４】
また、上記発光制御トランジスタは、上記第１電源と上記駆動トランジスタとの間に位置する。
【００２５】
また、上記発光制御トランジスタは、上記駆動トランジスタと上記第２電源とを連結する配線経路中に位置する。
【００２６】
また、上記発光制御トランジスタは、上記第１電源と上記駆動トランジスタとを連結する配線経路中に位置する第１発光制御トランジスタと、上記駆動トランジスタと上記第２電源とを連結する配線経路中に位置する第２発光制御トランジスタと、を備える。
【００２７】
また、複数の水平ラインに位置する第３画素を含む第３表示領域をさらに備える。
【００２８】
また、上記第１表示領域は、上記第２表示領域と上記第３表示領域の間に位置する。
【００２９】
また、上記ＩＲ光源が駆動される期間の間、上記第２画素及び第３画素は発光状態に設定される。
【００３０】
また、上記第１表示領域、第２表示領域、及び第３表示領域に配置された走査線を駆動するための走査駆動部と、上記第１表示領域に位置する第１発光制御線、上記第２表示領域に位置する第２発光制御線、及び上記第３表示領域に位置する第３発光制御線を駆動するための発光駆動部と、上記第１表示領域、上記第２表示領域、及び上記第３表示領域に配置されたデータ線を駆動するためのデータ駆動部と、をさらに備える。
【００３１】
また、上記発光駆動部は、上記第１発光制御線のそれぞれと接続され、第１開始信号に応じて駆動される第１発光ステージと、上記第２発光制御線のそれぞれと接続され、第２開始信号に応じて駆動される第２発光ステージと、上記第３発光制御線のそれぞれと接続され、第３開始信号に応じて駆動される第３発光ステージと、を備える。
【００３２】
また、上記ＩＲ光源が駆動される期間の間、上記第１開始信号の幅は上記第２開始信号及び上記第３開始信号の幅と異なるように設定される。
【００３３】
また、上記ＩＲ光源が駆動されない期間の間、上記第１開始信号、上記第２開始信号、及び上記第３開始信号の幅は同一に設定される。
【発明の効果】
【００３４】
本発明の実施例による表示装置及びその駆動方法によると、センサを画素領域に配置することで、デッドスペースを最小化することができる。また、本発明の表示装置及びその駆動方法によると、センサ、特にＩＲ光源が駆動される間、ＩＲ光源と重なるように位置する少なくとも一部画素を非発光状態に設定することにより、ＩＲ照射による画素の異常発光現象を防ぐことができる。
【図面の簡単な説明】
【００３５】
【図１ａ】本発明の実施例による表示パネルを示す図である。
【図１ｂ】本発明の実施例による表示パネルを示す図である。
【図２】本発明の他の実施例による表示パネルを示す図である。
【図３】図１ａのパネルを含む表示装置の実施例を示す図である。
【図４】図３に示された第１画素の実施例を示す図である。
【図５ａ】図４に示された第１画素の駆動方法の実施例を示す図である。
【図５ｂ】図４に示された第１画素の駆動方法の実施例を示す図である。
【図５ｃ】図４に示された第１画素の駆動方法の実施例を示す図である。
【図６ａ】図３に示された第１画素の他の実施例を示す図である。
【図６ｂ】図３に示された第１画素の他の実施例を示す図である。
【図７】図３に示された第１画素のさらに他の実施例を示す図である。
【図８ａ】図７に示された第１画素の駆動方法の実施例を示す図である。
【図８ｂ】図７に示された第１画素の駆動方法の実施例を示す図である。
【図８ｃ】図７に示された第１画素の駆動方法の実施例を示す図である。
【図９】図３に示された発光駆動部の実施例を示す図である。
【図１０ａ】図９に示された発光駆動部の駆動方法の実施例を示す図である。
【図１０ｂ】図９に示された発光駆動部の駆動方法の実施例を示す図である。
【図１０ｃ】図９に示された発光駆動部の駆動方法の実施例を示す図である。
【図１１】図３に示された発光駆動部の他の実施例を示す図である。
【図１２ａ】図１１に示された発光駆動部の駆動方法の実施例を示す図である。
【図１２ｂ】図１１に示された発光駆動部の駆動方法の実施例を示す図である。
【図１３ａ】ＩＲ光源が駆動されないときに表示装置に表示される映像の実施例を示す図である。
【図１３ｂ】ＩＲ光源が駆動されるときに表示装置に表示される映像の実施例を示す図である。
【図１４】図１ｂのパネルを含む表示装置の実施例を示す図である。
【図１５】図１４に示された発光駆動部の実施例を示す図である。
【図１６】図１４に示された発光駆動部の他の実施例を示す図である。
【図１７】ＩＲ光源が駆動されるときに表示装置に表示される映像の実施例を示す図である。
【図１８】図２のパネルを含む表示装置の実施例を示す図である。
【図１９】図１８に示された発光駆動部の実施例を示す図である。
【図２０】図１８に示された発光駆動部の他の実施例を示す図である。
【図２１】ＩＲ光源が駆動されるときに表示装置に表示される映像の実施例を示す図である。
【発明を実施するための形態】
【００３６】
以下では、添付の図面を参照して本発明の実施例及びその他に当業者が本発明の内容を容易に理解するために必要な事項について詳細に記載する。ただし、本発明は、請求の範囲に記載の範囲内で様々な異なる形態で実現されることができるため、以下に説明する実施例は、表現有無に関わらず、例示的なものに過ぎない。
【００３７】
即ち、本発明は、以下に開示される実施例に限定されるものではなく、異なる多様な形態で実現されてもよく、以下の説明において、ある部分が他の部分と接続されているというときは、直接接続されている場合だけでなく、その中間に他の素子を挟んで電気的に接続されている場合も含む。また、図面における同じ構成要素に対しては、たとえ他の図面上に示されているとしても、できる限り同じ参照番号及び符号で示していることに留意すべきである。
【００３８】
図１ａは、本発明の実施例による表示パネルを示す図である。以下では、説明の便宜のため、表示装置が有機電界発光表示装置であると仮定して実施例を説明するが、本発明の表示装置は有機電界発光表示装置のみに限定されない。
【００３９】
図１ａを参照すると、本発明の実施例による表示パネル１００は、画素領域ＡＡと周辺領域ＮＡを含んでもよい。
【００４０】
画素領域ＡＡには複数の画素ＰＸＬ１、ＰＸＬ２が位置し、これにより、所定の映像を表示することができる。即ち、画素領域ＡＡは有効表示部に設定される。画素領域ＡＡは、第１表示領域１１０と第２表示領域１２０に区分されてもよい。
【００４１】
第１表示領域１１０は、少なくとも１つの水平ラインに形成された第１画素ＰＸＬ１を備える。また、第１表示領域１１０には、少なくとも一部の第１画素ＰＸＬ１と重なるようにＩＲ（Ｉｎｆｒａ ｒｅｄ）光源１３０（例えば、ＩＲ  ＬＥＤ）が配置される。ＩＲ光源１３０は、様々なセンサに含まれるもので、センサの駆動に応じて動作することができる。例えば、ＩＲ光源１３０は、近接センサ及び／または指紋センサに含まれてもよい。
【００４２】
ＩＲ（Ｉｎｆｒａ ｒｅｄ）光源１３０は、図１の平面図に示す例において、ドット状であり、第１表示領域１１０の内部に位置する。しかし、例えば、第１表示領域１１０と、周辺領域ＮＡとの境界の近傍に位置することもでき、また場合によっては、これらの間にまたがるように位置することもできる。ＩＲ（Ｉｎｆｒａ ｒｅｄ）光源１３０は、0.7μm-1mm(=1000μm)の領域の光、特には、0.75〜8μmの近赤外線領域から中波長領域の光を生成する。可視光領域の赤色光を部分的に含みうるが、波長を横軸とした場合に、最も強度の大きいピークは、少なくとも赤外領域、特には、近赤外線領域または中波長領域中にある。
【００４３】
ＩＲ光源１３０が近接センサに含まれる場合、ＩＲ光源１３０は通話が行われる間に駆動されてもよい。また、ＩＲ光源１３０が指紋センサに含まれる場合、ＩＲ光源１３０は指紋が認識される間に駆動されてもよい。
【００４４】
近接センサは、例えば、赤外反射光を検出することで、ユーザの体の一部を検出し、例えば耳がスマートホンにあてられたときにタッチ動作や画像表示を一時的に停止するものである。また、指紋センサは、例えばセンサアレイを含み、例えば、スマートホンの起動時や再起動時に、スマートホンの前面の所定の領域にて、近接位置からの赤外反射光を検出することで、ユーザの指紋による認証を行うためのものである。
【００４５】
ＩＲ光源１３０は、一つまたは複数が、第１表示領域１１０内に配置されうるのであり、例えば画素（画素回路）の背面側に位置することができる。
【００４６】
本願の説明において、「〜期間の間」は、適宜、「〜期間の実質上全部」、「〜期間の大部分」などを意味するものとする。例えば、「ＩＲ光源が駆動される期間の間、前記第２画素はデータ信号に応じて駆動される」（請求項２）という場合に、「ＩＲ光源が駆動される期間」のほぼ全体にわたって、「前記第２画素はデータ信号に応じて駆動される」ようにすることができる。また、「前記ＩＲ光源は一フレーム期間の間に駆動され」（請求項２）という場合に、この「一フレーム期間」の大部分、例えば少なくとも５０％以上の期間にわたってＩＲ光源が駆動される期間といった内容を意味するのでありうる。
【００４７】
さらに、第１表示領域１１０で異常発光現象が生じないように、ＩＲ光源１３０は、第１画素ＰＸＬ１が非発光状態に設定される期間の間に駆動される。即ち、ＩＲ光源１３０が駆動される期間中にわたって、第１画素ＰＸＬ１は非発光状態に設定される。
【００４８】
例えば、ＩＲ光源１３０の駆動に応じて、第１画素ＰＸＬ１は、一フレーム期間のうちの一部の期間である第１期間中にわたって非発光状態に設定され、一フレーム期間の残りの期間である第２期間の間発光状態（即ち、データ信号に応じて駆動される状態）に設定されてもよい。そうすると、一フレーム期間のうち第１期間の間はＩＲ光源１３０の駆動に応じてセンサが動作し、第２期間の間はデータ信号に応じて所定の映像が表示される。
【００４９】
また、ＩＲ光源１３０の駆動に応じて、第１画素ＰＸＬ１は一フレーム期間中にわたって非発光状態に設定されてもよい。この場合、ＩＲ光源１３０の駆動に応じて、第１表示領域１１０にはブラック画面が表示される。これに係わる詳細な説明は後述する。
【００５０】
ＩＲ光源１３０が駆動されないとき、第１画素ＰＸＬ１はデータ信号に応じて所定の映像を表示する。
【００５１】
第２表示領域１２０は、複数の水平ラインに形成された第２画素ＰＸＬ２を備える。このような第２画素ＰＸＬ２は、ＩＲ光源１３０の駆動の有無に関わらず、データ信号に応じて駆動される。
【００５２】
周辺領域ＮＡには、画素ＰＸＬ１、ＰＸＬ２を駆動するための構成要素（例えば、駆動部及び配線など）が位置してもよい。周辺領域ＮＡは画素領域ＡＡの外側にあってもよいが、本発明の実施例はこれに限定されない。
【００５３】
例えば、周辺領域ＮＡは、画素領域ＡＡを取り囲む形態であってもよい。また、周辺領域ＮＡは、画素領域ＡＡの上側及び下側のみに位置してもよい。さらに、表示パネル１００から周辺領域ＮＡが除去されてもよい。この場合、画素ＰＸＬ１、ＰＸＬ２を駆動するための構成要素は、別途の基板に位置するか、画素領域ＡＡと重なった領域に位置することができる。
【００５４】
一方、図１ａには、第１表示領域１１０が表示パネル１００の上側に位置するものが図示されているが、本発明はこれに限定されない。例えば、第１表示領域１１０は、図１ｂに示すように表示パネル１００の下側に位置してもよい。即ち、本発明の実施例における第１表示領域１１０は、様々な場所に配置されてもよい。
【００５５】
図２は、本発明の他の実施例による表示パネルを示す図である。
【００５６】
図２を参照すると、本発明の実施例による表示パネル１００は、画素領域ＡＡ及び周辺領域ＮＡを含んでもよい。
【００５７】
画素領域ＡＡには複数の画素ＰＸＬ１、ＰＸＬ２、ＰＸＬ３が位置し、これにより、所定の映像を表示することができる。即ち、画素領域ＡＡは有効表示部に設定される。画素領域ＡＡは、第１表示領域１１０’、第２表示領域１２０’、及び第３表示領域１２２に区分されてもよい。
【００５８】
第１表示領域１１０’は、第２表示領域１２０’と第３表示領域１２２との間に位置する。このような第１表示領域１１０’は、少なくとも１つの水平ラインに形成された第１画素ＰＸＬ１を備える。また、第１表示領域１１０’には、少なくとも一部の第１画素ＰＸＬ１と重なるようにＩＲ光源１３０が配置される。ＩＲ光源１３０は、様々なセンサに含まれるもので、センサの駆動に応じて動作することができる。
【００５９】
第１表示領域１１０’で異常発光現象が生じないように、ＩＲ光源１３０は、第１画素ＰＸＬ１が非発光状態に設定される期間の間駆動される。即ち、ＩＲ光源１３０が駆動される期間の間、第１画素ＰＸＬ１は非発光状態に設定される。
【００６０】
例えば、ＩＲ光源１３０の駆動に応じて、第１画素ＰＸＬ１は一フレーム期間のうち第１期間の間非発光状態に設定され、一フレーム期間のうち第２期間の間発光状態（即ち、データ信号に応じて駆動）に設定されてもよい。そうすると、一フレーム期間のうち第１期間の間はＩＲ光源１３０の駆動に応じてセンサが動作し、第２期間の間はデータ信号に応じて所定の映像が表示される。
【００６１】
また、ＩＲ光源１３０の駆動に応じて、第１画素ＰＸＬ１は一フレーム期間中にわたって非発光状態に設定されてもよい。この場合、ＩＲ光源１３０の駆動に応じて、第１表示領域１１０’にはブラック画面が表示される。
【００６２】
第２表示領域１２０’は、複数の水平ラインに形成された第２画素ＰＸＬ２を備える。このような第２画素ＰＸＬ２はＩＲ光源１３０の駆動有無に関わらず、データ信号に応じて駆動される。
【００６３】
第３表示領域１２２は、複数の水平ラインに形成された第３画素ＰＸＬ３を備える。このような第３画素ＰＸＬ３はＩＲ光源１３０の駆動有無に関わらず、データ信号に応じて駆動される。
【００６４】
周辺領域ＮＡには、画素ＰＸＬ１、ＰＸＬ２、ＰＸＬ３を駆動するための構成要素（例えば、駆動部及び配線など）が位置してもよい。このため、周辺領域ＮＡは、画素領域ＡＡを取り囲む形態であってもよい。また、周辺領域ＮＡは、画素領域ＡＡの上側及び下側のみに位置してもよい。さらに、表示パネル１００から周辺領域ＮＡが除去されてもよい。この場合、画素ＰＸＬ１、ＰＸＬ２、ＰＸＬ３を駆動するための構成要素は、別途の基板に位置するか、画素領域ＡＡと重なった領域に位置することができる。
【００６５】
上述した図１ａ〜図２では、デッドスペースを最小化するためにＩＲ光源１３０を画素領域ＡＡ内に配置する。
【００６６】
また、第１表示領域１１０、１１０’で異常発光現象が生じることを防ぐために、ＩＲ光源１３０が駆動される期間の間、第１画素ＰＸＬ１は非発光状態に設定される。
【００６７】
図３は、図１ａのパネルを含む表示装置の実施例を示す図である。
【００６８】
図３を参照すると、本発明の実施例による表示装置は、走査駆動部２００、データ駆動部３００、発光駆動部４００、及びタイミング制御部５００を備える。
【００６９】
第１画素ＰＸＬ１は、走査線Ｓ１、Ｓ２、第１発光制御線Ｅ１１、Ｅ１２、及びデータ線Ｄ１〜Ｄｍと接続されるように第１表示領域１１０に配置される。このような第１画素ＰＸＬ１は、走査線Ｓ１、Ｓ２から走査信号が供給されるとき、データ線Ｄ１〜Ｄｍからデータ信号の供給を受ける。データ信号の供給を受けた第１画素ＰＸＬ１は、第１電源ＥＬＶＤＤから有機発光ダイオード（不図示）を経由して第２電源ＥＬＶＳＳに流れる電流量を制御する。このような第１画素ＰＸＬ１は、第１発光制御線Ｅ１１、Ｅ１２から供給される発光制御信号に応じて発光時間が制御される。
【００７０】
第１画素ＰＸＬ１は、ＩＲ光源１３０が駆動される期間中にわたって非発光状態に設定される。このため、発光駆動部４００は、ＩＲ光源１３０が駆動される期間中にわたって、第１画素ＰＸＬ１が非発光状態に設定されるように第１発光制御線Ｅ１１、Ｅ１２に供給される発光制御信号を制御する。
【００７１】
例えば、発光駆動部４００は、ＩＲ光源１３０の駆動に応じて一フレーム期間のうち第１期間中にわたって第１画素ＰＸＬ１が非発光状態に設定されるように第１発光制御線Ｅ１１〜Ｅ１２に発光制御信号を供給することができる。
【００７２】
また、発光駆動部４００は、ＩＲ光源１３０の駆動に応じて一フレーム期間の間第１画素ＰＸＬ１が発光しないように第１発光制御線Ｅ１１〜Ｅ１２に発光制御信号を供給することができる。
【００７３】
一方、図３では、説明の便宜のため、第１画素ＰＸＬ１が２つの水平ラインに配置されるものが図示されているが、本発明はこれに限定されない。例えば、第１画素ＰＸＬ１は、少なくとも１つの水平ラインに配置されてもよく、第１画素ＰＸＬ１の配置に応じて、第１表示領域１１０に形成される走査線Ｓ１、Ｓ２及び第１発光制御線Ｅ１１、Ｅ１２の数が変更されてもよい。
【００７４】
第２画素ＰＸＬ２は、走査線Ｓ３〜Ｓｎ、第２発光制御線Ｅ２１〜Ｅ２ｊ（ｊはｎより小さい自然数）、及びデータ線Ｄ１〜Ｄｍと接続されるように第２表示領域１２０に配置される。このような第２画素ＰＸＬ２は、走査線Ｓ３〜Ｓｎに走査信号が供給されるとき、データ線Ｄ１〜Ｄｍからデータ信号の供給を受ける。データ信号の供給を受けた第２画素ＰＸＬ２は、第１電源ＥＬＶＤＤから有機発光ダイオード（不図示）を経由して第２電源ＥＬＶＳＳに流れる電流量を制御する。このような第２画素ＰＸＬ２は、第２発光制御線Ｅ２１〜Ｅ２ｊから供給される発光制御信号に応じて発光時間が制御される。
【００７５】
走査駆動部２００は、タイミング制御部５００からのゲート制御信号ＧＣＳに応じて走査線Ｓ１〜Ｓｎに走査信号を供給する。例えば、走査駆動部２００は、走査線Ｓ１〜Ｓｎに走査信号を順に供給することができる。走査線Ｓ１〜Ｓｎに走査信号が順に供給されると、水平ライン単位で第１画素ＰＸＬ１及び第２画素ＰＸＬ２が順に選択される。このため、走査信号は、画素ＰＸＬ１、ＰＸＬ２に含まれたトランジスタがターンオンできるゲートオン電圧に設定される。
【００７６】
走査駆動部２００は、薄膜工程により周辺領域ＮＡに実装されてもよい。また、走査駆動部２００は、画素領域ＡＡと重なるように配置されてもよい。さらに、走査駆動部２００は、画素領域ＡＡを挟んで両側に実装されてもよい。
【００７７】
発光駆動部４００は、タイミング制御部５００からのエミッション制御信号ＥＣＳに応じて、第１発光制御線Ｅ１１、Ｅ１２及び第２発光制御線Ｅ２１〜Ｅ２ｊに発光制御信号を供給する。例えば、発光駆動部４００は、第１発光制御線Ｅ１１、Ｅ１２及び第２発光制御線Ｅ２１〜Ｅ２ｊに発光制御信号を順に供給することができる。発光制御信号は、画素ＰＸＬ１、ＰＸＬ２の発光時間を制御するために用いられる。このため、発光制御信号は、画素ＰＸＬ１、ＰＸＬ２に含まれたトランジスタがターンオフできるようにゲートオフ電圧に設定されてもよい。
【００７８】
ＩＲ光源１３０が駆動されない期間の間、発光駆動部４００は、第２幅の発光制御信号を第１発光制御線Ｅ１１、Ｅ１２及び第２発光制御線Ｅ２１〜Ｅ２ｊに順に供給することができる。ここで、第２幅の発光制御信号は、第１画素ＰＸＬ１及び第２画素ＰＸＬ２が、データ信号に応じて所定の映像を表示することができるように設定される。
【００７９】
また、発光駆動部４００は、ＩＲ光源１３０が駆動される期間の間、第２幅より広い幅の発光制御信号を第１発光制御線Ｅ１１、Ｅ１２に供給することができる。例えば、発光駆動部４００は、ＩＲ光源１３０が駆動される期間の間、第２幅より広い第１幅の発光制御信号を第１発光制御線Ｅ１１、Ｅ１２に供給することができる。ここで、第１幅の発光制御信号は、一フレーム期間に対応して設定されてもよい。したがって、第１幅の発光制御信号が供給されると、第１画素ＰＸＬ１は一フレーム期間の間非発光状態に設定される。
【００８０】
また、発光駆動部４００は、ＩＲ光源１３０の駆動に応じて、第３幅の発光制御信号を第１発光制御線Ｅ１１、Ｅ１２に供給することができる。ここで、第３幅は、第２幅より広くて第１幅より狭い第３幅に設定されてもよい。
【００８１】
さらに、第３幅の発光制御信号は、第１表示領域１１０に位置した第１画素ＰＸＬ１が一フレームの第１期間の間発光しないように設定される。第３幅の発光制御信号の供給を受けた第１画素ＰＸＬ１は一フレームの第１期間の間発光せず、第２期間の間データ信号に応じて駆動される。このとき、ＩＲ光源１３０は一フレームの第１期間の間駆動される。
【００８２】
発光駆動部４００は、薄膜工程により周辺領域ＮＡに実装されてもよい。また、発光駆動部４００は、画素領域ＡＡと重なるように配置されてもよい。さらに、発光駆動部４００は、画素領域ＡＡを挟んで両側に実装されてもよい。
【００８３】
データ駆動部３００は、データ制御信号ＤＣＳに応じてデータ線Ｄ１〜Ｄｍにデータ信号を供給する。データ線Ｄ１〜Ｄｍに供給されたデータ信号は、走査信号によって選択された画素ＰＸＬ１、ＰＸＬ２に供給される。ここで、データ駆動部３００は、画素領域ＡＡを基準として上側に位置するものが示されているが、本発明はこれに限定されない。例えば、データ駆動部３００は、画素領域ＡＡの下側に位置してもよい。
【００８４】
タイミング制御部５００は、外部から供給されるタイミング信号に基づいてゲート制御信号ＧＣＳ、エミッション制御信号ＥＣＳ、及びデータ制御信号ＤＣＳを生成する。タイミング制御部５００で生成されたゲート制御信号ＧＣＳは走査駆動部２００に供給され、エミッション制御信号ＥＣＳは発光駆動部４００に供給される。そして、タイミング制御部５００で生成されたデータ制御信号ＤＣＳは、データ駆動部３００に供給される。
【００８５】
図４は、図３に示された第１画素の実施例を示す図である。図４では、説明の便宜のため、第ｍデータ線Ｄｍ及び第１走査線Ｓ１に接続された画素を図示する。
【００８６】
図４を参照すると、本発明の実施例による第１画素ＰＸＬ１は、有機発光ダイオードＯＬＥＤ、駆動トランジスタＭＤ、発光制御トランジスタＭＥ、第１トランジスタＭ１、及びストレージキャパシタＣｓｔを備える。
【００８７】
有機発光ダイオードＯＬＥＤのアノード電極は、駆動トランジスタＭＤの第２電極に接続され、カソード電極は、第２電源ＥＬＶＳＳに接続される。この有機発光ダイオードＯＬＥＤは、駆動トランジスタＭＤから供給される電流量に応じて所定輝度の光を生成する。このため、第１電源ＥＬＶＤＤは、第２電源ＥＬＶＳＳより高い電圧に設定される。
【００８８】
駆動トランジスタＭＤの第１電極は、発光制御トランジスタＭＥを経由して第１電源ＥＬＶＤＤに接続され、第２電極は、有機発光ダイオードＯＬＥＤのアノード電極に接続される。また、駆動トランジスタＭＤのゲート電極は、第１ノードＮ１に接続される。この駆動トランジスタＭＤは、第１ノードＮ１の電圧に応じて、第１電源ＥＬＶＤＤから有機発光ダイオードＯＬＥＤを経由して第２電源ＥＬＶＳＳに供給される電流量を制御する。
【００８９】
第１トランジスタＭ１は、データ線Ｄｍと第１ノードＮ１との間に接続される。また、第１トランジスタＭ１のゲート電極は走査線Ｓ１に接続される。この第１トランジスタＭ１は、走査線Ｓ１に走査信号が供給されるときターンオンされて、データ線Ｄｍと第１ノードＮ１を電気的に接続させる。
【００９０】
発光制御トランジスタＭＥは、第１電源ＥＬＶＤＤと駆動トランジスタＭＤの第１電極との間に接続される。また、発光制御トランジスタＭＥのゲート電極は、最初の第１発光制御線Ｅ１１に接続される。この発光制御トランジスタＭＥは、最初の第１発光制御線Ｅ１１に発光制御信号が供給されるときターンオフされ、発光制御信号が供給されないときターンオンされる。
【００９１】
ストレージキャパシタＣｓｔは、第１電源ＥＬＶＤＤと第１ノードＮ１との間に接続される。このストレージキャパシタＣｓｔは、データ信号に対応する電圧を保存する。
【００９２】
一方、第２画素ＰＸＬ２は、第１画素ＰＸＬ１と同じ回路で実現されてもよい。したがって、第２画素ＰＸＬ２に対する詳細な説明は省略する。
【００９３】
図５ａは、図４に示された第１画素の駆動方法の実施例を示す図である。図５ａには、最初の第１発光制御線Ｅ１１に第２幅の発光制御信号が供給される場合が図示されている。
【００９４】
図５ａを参照すると、まず、最初の第１発光制御線Ｅ１１に第２幅Ｗ２を有する発光制御信号が供給される。最初の第１発光制御線Ｅ１１に発光制御信号が供給されると、発光制御トランジスタＭＥがターンオフされる。
【００９５】
その後、走査線Ｓ１に走査信号が供給される。走査線Ｓ１に走査信号が供給されると、第１トランジスタＭ１がターンオンされる。第１トランジスタＭ１がターンオンされると、データ線Ｄｍからのデータ信号ＤＳが第１ノードＮ１に供給される。このとき、ストレージキャパシタＣｓｔは、第１ノードＮ１に供給されたデータ信号ＤＳの電圧を保存する。
【００９６】
ストレージキャパシタＣｓｔにデータ信号ＤＳの電圧が保存された後、最初の第１発光制御線Ｅ１１への発光制御信号の供給が中断される。最初の第１発光制御線Ｅ１１への発光制御信号の供給が中断されると、発光制御トランジスタＭＥがターンオンされる。発光制御トランジスタＭＥがターンオンされると、第１電源ＥＬＶＤＤと駆動トランジスタＭＤが電気的に接続される。このとき、駆動トランジスタＭＤは、第１ノードＮ１の電圧に応じて有機発光ダイオードＯＬＥＤに供給される電流量を制御する。そうすると、有機発光ダイオードＯＬＥＤは、駆動トランジスタＭＤに供給される電流量に応じて発光する。ＩＲ光源１３０が駆動されない期間の間、第１画素ＰＸＬ１及び第２画素ＰＸＬ２は上述した方法で駆動されうる。
【００９７】
一方、ＩＲ光源１３０が駆動される期間には、ＩＲが第１画素ＰＸＬ１の第１トランジスタＭ１に照射される。ＩＲが第１トランジスタＭ１に照射されると、第１トランジスタＭ１でリーク電流が発生し、これにより、第１ノードＮ１の電圧が変化する。即ち、ＩＲ光源１３０が駆動される期間の間、第１画素ＰＸＬ１は所望する輝度で発光されないため、画質が低下する恐れがある。
【００９８】
図５ｂは、図４に示した第１画素の駆動方法の他の実施例を示す図である。図５ｂには、ＩＲ光源１３０の駆動に応じて、最初の第１発光制御線Ｅ１１に、第１幅Ｗ１の発光制御信号が供給される場合が図示されている。
【００９９】
図５ｂを参照すると、まず、最初の第１発光制御線Ｅ１１に第１幅Ｗ１を有する発光制御信号が供給される。最初の第１発光制御線Ｅ１１に、第１幅Ｗ１を有する発光制御信号が供給されると、発光制御トランジスタＭＥがターンオフされる。
【０１００】
ここで、第１幅Ｗ１は、一フレーム１Ｆ期間中にわたって第１画素ＰＸＬ１がターンオフされるように設定される。即ち、第１幅Ｗ１の発光制御信号の供給を受けた発光制御トランジスタＭＥは、一フレーム１Ｆ期間中にわたってターンオフ状態を保持する。そうすると、第１画素ＰＸＬ１は、データ線Ｄｍに供給されるデータ信号ＤＳに関わらず、一フレーム１Ｆ期間中にわたって非発光状態を保持する。
【０１０１】
即ち、ＩＲ光源１３０が駆動される期間の間、第１画素ＰＸＬ１は非発光状態に設定されるため、第１画素ＰＸＬ１が所望しない輝度で発光することを防ぐことができる。
【０１０２】
図５ｃは、図４に示した第１画素の駆動方法のさらに他の実施例を示す図である。図５ｃには、ＩＲ光源１３０の駆動に応じて第３幅Ｗ３の発光制御信号が供給される場合が図示されている。
【０１０３】
図５ｃを参照すると、第１発光制御線Ｅ１１、Ｅ１２には第３幅Ｗ３の発光制御信号が順に供給される。このとき、第１発光制御線Ｅ１１、Ｅ１２に供給される発光制御信号は、一フレーム１Ｆ期間のうち第１期間Ｔ１と重なる。従って、一フレーム１Ｆ期間のうち第１期間Ｔ１の間、第１画素ＰＸＬ１は非発光状態に設定される。ＩＲ光源１３０は、一フレーム期間のうち第１期間Ｔ１の間駆動される。
【０１０４】
また、一フレーム１Ｆ期間のうち第２期間Ｔ２の間、第１画素ＰＸＬ１はデータ信号に応じて順に駆動される。
【０１０５】
即ち、本発明のさらに他の実施例では、一フレーム１Ｆ期間のうち第１期間Ｔ１の間、第１画素ＰＸＬ１が非発光状態に設定され、これに応じてＩＲ光源１３０が駆動される。そして、一フレーム１Ｆ期間のうち第２期間Ｔ２の間、第１画素ＰＸＬ１はデータ信号に応じて駆動される。
【０１０６】
さらに、発光制御信号の第３幅Ｗ３は、第１画素ＰＸＬ１が同時に非発光状態に設定できるように実験的に決まる。例えば、第３幅Ｗ３は、第１発光制御線Ｅ１１、Ｅ１２の数に応じて多様に設定されてもよい。
【０１０７】
図６ａは、図３に示された第１画素の他の実施例を示す図である。図６ａでは、図４と同様の構成に対して同じ符号を付し、詳細な説明は省略する。
【０１０８】
図６ａを参照すると、本発明の実施例による第１画素ＰＸＬ１は、有機発光ダイオードＯＬＥＤ、駆動トランジスタＭＤ、発光制御トランジスタＭＥ’、及び第１トランジスタＭ１を備える。
【０１０９】
発光制御トランジスタＭＥ’は、駆動トランジスタＭＤの第２電極と有機発光ダイオードＯＬＥＤのアノード電極との間に接続される。また、発光制御トランジスタＭＥ’のゲート電極は、最初の発光制御線Ｅ１１に接続される。この発光制御トランジスタＭＥ’は、最初の第１発光制御線Ｅ１１に発光制御信号が供給されるときターンオフされ、発光制御信号が供給されないときターンオンされる。
【０１１０】
一方、本発明の実施例において、発光制御トランジスタは、第１電源ＥＬＶＤＤから有機発光ダイオードＯＬＥＤを経由して第２電源ＥＬＶＳＳに繋がる電流経路に多様に配置されてもよい。
【０１１１】
例えば、図６ｂに示すように、第１電源ＥＬＶＤＤと駆動トランジスタＭＤの第１電極との間に第１発光制御トランジスタＭＥ１が形成され、駆動トランジスタＭＤの第２電極と有機発光ダイオードＯＬＥＤのアノード電極との間に第２発光制御トランジスタＭＥ２が形成されてもよい。第１発光制御トランジスタＭＥ１及び第２発光制御トランジスタＭＥ２のゲート電極は、最初の第１発光制御線Ｅ１１に接続される。従って、第１発光制御トランジスタＭＥ１及び第２発光制御トランジスタＭＥ２は、最初の第１発光制御線Ｅ１１に供給される発光制御信号に応じてターンオン及びターンオフされる。
【０１１２】
実際に、図６ａ及び図６ｂに示された第１画素ＰＸＬ１の動作過程は、図５ａ〜図５ｃとともに説明した図４の画素と同一であるため、詳細な説明は省略する。
【０１１３】
図７は、図３に示された第１画素のさらに他の実施例を示す図である。図７では、説明の便宜のため、第ｍデータ線及び第１走査線Ｓ１に接続された画素を図示する。また、図６ｂと同じ機能をするトランジスタには同じ符号を付する。さらに、図７に示された第０走査線Ｓ０は、第１画素ＰＸＬ１の回路構造に応じて画素領域ＡＡにさらに形成された走査線を意味する。
【０１１４】
図７を参照すると、本発明のさらに他の実施例による第１画素ＰＸＬ１は、有機発光ダイオードＯＬＥＤ、駆動トランジスタＭＤ、発光制御トランジスタＭＥ１、ＭＥ２、第１トランジスタＭ１乃至第４トランジスタＭ４、ストレージキャパシタＣｓｔを備える。
【０１１５】
有機発光ダイオードＯＬＥＤのアノード電極は、第２発光制御トランジスタＭＥ２を経由して駆動トランジスタＭＤの第２電極に接続され、カソード電極は、第２電源ＥＬＶＳＳに接続される。この有機発光ダイオードＯＬＥＤは、駆動トランジスタＭＤから供給される電流量に応じて所定輝度の光を生成する。
【０１１６】
駆動トランジスタＭＤの第１電極は、第１発光制御トランジスタＭＥ１を経由して第１電源ＥＬＶＤＤに接続され、第２電極は、第２発光制御トランジスタＭＥ２を経由して有機発光ダイオードＯＬＥＤのアノード電極に接続される。また、駆動トランジスタＭＤのゲート電極は、第１ノードＮ１に接続される。この駆動トランジスタＭＤは、第１ノードＮ１の電圧に応じて、第１電源ＥＬＶＤＤから有機発光ダイオードＯＬＥＤを経由して第２電源ＥＬＶＳＳに供給される電流量を制御する。
【０１１７】
第１発光制御トランジスタＭＥ１は、第１電源ＥＬＶＤＤと第２ノードＮ２との間に接続される。また、第１発光制御トランジスタＭＥ１のゲート電極は、最初の第１発光制御線Ｅ１１に接続される。この第１発光制御トランジスタＭＥ１は、最初の第１発光制御線Ｅ１１に発光制御信号が供給されるときターンオフされ、それ以外の場合はターンオンされる。
【０１１８】
第２発光制御トランジスタＭＥ２は、駆動トランジスタＭＤの第２電極と、有機発光ダイオードＯＬＥＤのアノード電極との間に接続される。また、第２発光制御トランジスタＭＥ２のゲート電極は、最初の第１発光制御線Ｅ１１に接続される。この第２発光制御トランジスタＭＥ２は、最初の第１発光制御線Ｅ１１に発光制御信号が供給されるときターンオフされ、それ以外の場合はターンオンされる。
【０１１９】
第１トランジスタＭ１は、データ線Ｄｍと第２ノードＮ２との間に接続される。また、第１トランジスタＭ１のゲート電極は走査線Ｓ１に接続される。この第１トランジスタＭ１は、走査線Ｓ１に走査信号が供給されるときにターンオンされて、データ線Ｄｍと第２ノードＮ２を電気的に接続させる。
【０１２０】
第２トランジスタＭ２は、駆動トランジスタＭＤの第２電極と第１ノードＮ１との間に接続される。また、第２トランジスタＭ２のゲート電極は走査線Ｓ１に接続される。この第２トランジスタＭ２は、走査線Ｓ１に走査信号が供給されるときにターンオンされて、駆動トランジスタＭＤをダイオード接続させる。
【０１２１】
第３トランジスタＭ３の第１電極は第１ノードＮ１に接続され、第２電極は初期化電源Ｖｉｎｔに接続される。また、第３トランジスタＭ３のゲート電極は走査線Ｓ０に接続される。この第３トランジスタＭ３は、走査線Ｓ０に走査信号が供給されるときターンオンされて、初期化電源Ｖｉｎｔの電圧を第１ノードＮ１に供給する。ここで、初期化電源Ｖｉｎｔの電圧は、データ信号より低い電圧に設定される。
【０１２２】
第４トランジスタＭ４は、有機発光ダイオードＯＬＥＤのアノード電極と初期化電源Ｖｉｎｔとの間に接続される。また、第４トランジスタＭ４のゲート電極は走査線Ｓ１に接続される。この第４トランジスタＭ４は、走査線Ｓ１に走査信号が供給されるときにターンオンされて、初期化電源Ｖｉｎｔの電圧を有機発光ダイオードＯＬＥＤのアノード電極に供給する。
【０１２３】
初期化電源Ｖｉｎｔの電圧が有機発光ダイオードＯＬＥＤのアノード電極に供給されると、有機発光ダイオードＯＬＥＤの寄生キャパシタＣｏｌｅｄが放電されるため、ブラック表現能力を向上させることができる。
【０１２４】
さらに、第４トランジスタＭ４のゲート電極は、様々な走査線と接続されてもよい。例えば、第４トランジスタＭ４は、最初の第１発光制御線Ｅ１１に供給される発光制御信号と重なる走査信号のいずれか１つによってターンオンされうる。
【０１２５】
ストレージキャパシタＣｓｔは、第１電源ＥＬＶＤＤと第１ノードＮ１との間に接続される。このストレージキャパシタＣｓｔは、第１ノードＮ１に印加される電圧を保存する。
【０１２６】
一方、第２画素ＰＸＬ２は、第１画素ＰＸＬ１と同じ回路で実現されてもよい。従って、第２画素ＰＸＬ２に対する詳細な説明は省略する。
【０１２７】
図８ａは、図７に示された第１画素の駆動方法の実施例を示す図である。図８ａには、最初の第１発光制御線Ｅ１１に第２幅Ｗ２の発光制御信号が供給される場合が図示されている。
【０１２８】
図８ａを参照すると、まず、最初の第１発光制御線Ｅ１１に発光制御信号が供給され、第１発光制御トランジスタＭＥ１及び第２発光制御トランジスタＭＥ２がターンオフされる。第１発光制御トランジスタＭＥ１がターンオフされると、第１電源ＥＬＶＤＤと第２ノードＮ２が電気的に遮断される。第２発光制御トランジスタＭＥ２がターンオフされると、駆動トランジスタＭＤと有機発光ダイオードＯＬＥＤが電気的に遮断される。従って、最初の第１発光制御線Ｅ１１に発光制御信号が供給される期間の間、第１画素ＰＸＬ１は非発光状態に設定される。
【０１２９】
その後、第０走査線Ｓ０に走査信号が供給される。第０走査線Ｓ０に走査信号が供給されると、第３トランジスタＭ３がターンオンされる。第３トランジスタＭ３がターンオンされると、初期化電源Ｖｉｎｔの電圧が第１ノードＮ１に供給される。
【０１３０】
第１ノードＮ１に初期化電源Ｖｉｎｔの電圧が供給された後、第１走査線Ｓ１に走査信号が供給される。第１走査線Ｓ１に走査信号が供給されると、第１トランジスタＭ１、第２トランジスタＭ２、及び第４トランジスタＭ４がターンオンされる。
【０１３１】
第４トランジスタＭ４がターンオンされると、有機発光ダイオードＯＬＥＤのアノード電極に初期化電源Ｖｉｎｔの電圧が供給され、これにより、寄生キャパシタＣｏｌｅｄが放電される。
【０１３２】
第２トランジスタＭ２がターンオンされると、駆動トランジスタＭＤがダイオード接続される。第１トランジスタＭ１がターンオンされると、データ線Ｄｍからのデータ信号ＤＳが第２ノードＮ２に供給される。このとき、第１ノードＮ１がデータ信号より低い初期化電源Ｖｉｎｔの電圧に初期化されているため、駆動トランジスタＭＤがターンオンされる。
【０１３３】
駆動トランジスタＭＤがターンオンされると、第２ノードＮ２に供給されたデータ信号が、ダイオード接続された駆動トランジスタＭＤを経由して、第１ノードＮ１に供給される。このとき、第１ノードＮ１には、データ信号及び駆動トランジスタＭＤのしきい値電圧に対応する電圧が印加される。ストレージキャパシタＣｓｔは、第１ノードＮ１に印加された電圧を保存する。
【０１３４】
ストレージキャパシタＣｓｔにデータ信号及び駆動トランジスタＭＤのしきい値電圧に対応する電圧が保存された後、最初の第１発光制御線Ｅ１１への発光制御信号の供給が中断される。最初の第１発光制御線Ｅ１１への発光制御信号の供給が中断されると、第１発光制御トランジスタＭＥ１及び第２発光制御トランジスタＭＥ２がターンオンされる。
【０１３５】
第１発光制御トランジスタＭＥ１がターンオンされると、第１電源ＥＬＶＤＤと駆動トランジスタＭＤの第１電極が電気的に接続される。第２発光制御トランジスタＭＥ２がターンオンされると、駆動トランジスタＭＤの第２電極と有機発光ダイオードＯＬＥＤのアノード電極が電気的に接続される。このとき、駆動トランジスタＭＤは、第１ノードＮ１に印加された電圧に応じて、第１電源ＥＬＶＤＤから有機発光ダイオードＯＬＥＤを経由して第２電源ＥＬＶＳＳに流れる電流量を制御する。
【０１３６】
ＩＲ光源１３０が駆動されない期間の間、第１画素ＰＸＬ１及び第２画素ＰＸＬ２は上述した方法で駆動されうる。
【０１３７】
一方、ＩＲ光源１３０が駆動される期間には、ＩＲが第１画素ＰＸＬ１に照射されるため、第１トランジスタＭ１、第２トランジスタＭ２、第３トランジスタＭ３でリーク電流が発生する。
【０１３８】
特に、第２トランジスタＭ２及び第３トランジスタＭ３によるリーク電流によって、第１ノードＮ１の電圧は一フレーム１Ｆ期間の間低くなり続ける。駆動トランジスタＭＤから有機発光ダイオードＯＬＥＤに流れる電流は、駆動トランジスタＭＤのＶｇｓ電圧から駆動トランジスタＭＤのしきい値電圧を引いた電圧の二乗に比例する。従って、第１ノードＮ１の電圧が低くなると、駆動トランジスタＭＤから流れる電流は二乗に比例して増加し、これにより、第１画素ＰＸＬ１が明点としてユーザに認知されうる。
【０１３９】
図８ｂは、図７に示された第１画素の駆動方法の他の実施例を示す図である。図８ｂには、ＩＲ光源１３０の駆動に応じて、最初の第１発光制御線Ｅ１１に第１幅Ｗ１の発光制御信号が供給される場合が図示されている。
【０１４０】
図８ｂを参照すると、まず、最初の第１発光制御線Ｅ１１に第１幅Ｗ１を有する発光制御信号が供給される。最初の第１発光制御線Ｅ１１に第１幅Ｗ１を有する発光制御信号が供給されると、第１発光制御トランジスタＭＥ１及び第２発光制御トランジスタＭＥ２がターンオフされる。
【０１４１】
第１発光制御トランジスタＭＥ１及び第２発光制御トランジスタＭＥ２がターンオフされると、第１画素ＰＸＬ１が非発光状態に設定される。ここで、第１幅Ｗ１は、一フレーム１Ｆ期間の間、第１画素ＰＸＬ１がターンオフできるように設定される。即ち、第１幅Ｗ１の発光制御信号の供給を受けた第１及び第２発光制御トランジスタＭＥ１、ＭＥ２は、一フレーム１Ｆ期間の間ターンオフ状態を保持する。そうすると、第１画素ＰＸＬ１は、データ線Ｄｍに供給されるデータ信号ＤＳに関わらず、一フレーム１Ｆ期間中にわたって非発光状態を保持する。
【０１４２】
即ち、ＩＲ光源１３０が駆動される期間中にわたって、第１画素ＰＸＬ１は非発光状態に設定されるため、第１画素ＰＸＬ１が所望しない輝度で発光することを防ぐことができる。
【０１４３】
図８ｃは、図７に示された第１画素の駆動方法のさらに他の実施例を示す図である。図８ｃには、ＩＲ光源１３０の駆動に応じて、第３幅Ｗ３の発光制御信号が供給される場合が図示されている。
【０１４４】
図８ｃを参照すると、第１発光制御線Ｅ１１、Ｅ１２には第３幅Ｗ３の発光制御信号が順に供給される。このとき、第１発光制御線Ｅ１１、Ｅ１２に供給される発光制御信号は、一フレーム１Ｆ期間のうち第１期間Ｔ１と重なる。したがって、一フレーム１Ｆ期間のうち第１期間Ｔ１中にわたって、第１画素ＰＸＬ１は非発光状態に設定される。ＩＲ光源１３０は一フレーム期間のうち第１期間Ｔ１の間駆動される。
【０１４５】
また、一フレーム１Ｆ期間のうち第２期間Ｔ２の間、第１画素ＰＸＬ１はデータ信号に応じて順に駆動される。即ち、本発明のさらに他の実施例では、一フレーム１Ｆ期間のうち第１期間Ｔ１中にわたって、第１画素ＰＸＬ１が非発光状態に設定され、これに応じてＩＲ光源１３０が駆動される。そして、一フレーム１Ｆ期間のうち第２期間Ｔ２の間、第１画素ＰＸＬ１はデータ信号に応じて駆動される。
【０１４６】
図９は、図３に示された発光駆動部の実施例を示す図である。図９に示されたステージＥＳＴ１１、ＥＳＴ１２、ＥＳＴ２１〜ＥＳＴ２ｊは、開始信号ＦＬＭ１、ＦＬＭ２に応じて発光制御信号の幅を制御する回路構造を有する。このようなステージＥＳＴ１１、ＥＳＴ１２、ＥＳＴ２１〜ＥＳＴ２ｊは、開始信号ＦＬＭ１、ＦＬＭ２に応じて発光制御信号の幅を制御する、現在公知の多様な回路で構成されてもよい。
【０１４７】
また、ステージＥＳＴ１１、ＥＳＴ１２、ＥＳＴ２１〜ＥＳＴ２ｊは、開始信号ＦＬＭ１、ＦＬＭ２に応じて同一または類似する幅を有する発光制御信号を生成する。以下では、説明の便宜のため、ステージＥＳＴ１１、ＥＳＴ１２、ＥＳＴ２１〜ＥＳＴ２ｊは、開始信号ＦＬＭ１、ＦＬＭ２と同じ幅を有する発光制御信号を生成すると仮定する。
【０１４８】
図９を参照すると、本発明の実施例による発光駆動部４００は、第１発光ステージＥＳＴ１１、ＥＳＴ１２及び第２発光ステージＥＳＴ２１〜ＥＳＴ２ｊを備える。
【０１４９】
第１発光ステージＥＳＴ１１、ＥＳＴ１２は、第１発光制御線Ｅ１１、Ｅ１２のそれぞれと接続される。この第１発光ステージＥＳＴ１１、ＥＳＴ１２は、第１開始信号ＦＬＭ１によって駆動される。即ち、最初の第１発光ステージＥＳＴ１１は、第１開始信号ＦＬＭ１に応じて発光制御信号を出力する。そして、二番目の第１発光ステージＥＳＴ１２は、最初の第１発光ステージＥＳＴ１１の出力信号（即ち、発光制御信号）の供給を受け、供給された出力信号に応じて発光制御信号を出力する。
【０１５０】
さらに、第１発光ステージＥＳＴ１１、ＥＳＴ１２から供給される発光制御信号の幅は、第１開始信号ＦＬＭ１に応じて決まる。即ち、第１幅Ｗ１の第１開始信号ＦＬＭ１が供給される場合、第１発光制御線Ｅ１１、Ｅ１２には第１幅Ｗ１の発光制御信号が供給される。そして、第２幅Ｗ２の第１開始信号ＦＬＭ１が供給される場合、第１発光制御線Ｅ１１、Ｅ１２には第２幅Ｗ２の発光制御信号が供給される。同様に、第３幅Ｗ３の第１開始信号ＦＬＭ１が供給される場合、第１発光制御線Ｅ１１、Ｅ１２には第３幅Ｗ３の発光制御信号が供給される。
【０１５１】
第１開始信号ＦＬＭ１は、タイミング制御部５００から供給されてもよい。タイミング制御部５００は、ＩＲ光源１３０が駆動されない期間の間、第２幅Ｗ２に対応する第１開始信号ＦＬＭ１を供給する。また、タイミング制御部５００は、ＩＲ光源１３０の駆動に応じて第１幅Ｗ１または第３幅Ｗ３の第１開始信号ＦＬＭ１を供給することができる。
【０１５２】
第２発光ステージＥＳＴ２１〜ＥＳＴ２ｊは、第２発光制御線Ｅ２１〜Ｅ２ｊのそれぞれと接続される。この第２発光ステージＥＳＴ２１〜ＥＳＴ２ｊは、第２開始信号ＦＬＭ２に応じて駆動される。即ち、最初の第２発光ステージＥＳＴ２１は、第２開始信号ＦＬＭ２に応じて発光制御信号を出力し、残りの第２発光ステージＥＳＴ２２〜ＥＳＴ２ｊは、前段の第２発光ステージＥＳＴ２の出力信号の供給を受けて発光制御信号を出力する。
【０１５３】
タイミング制御部５００は、ＩＲ光源１３０の駆動有無に関わらず、第２幅Ｗ２の第２開始信号ＦＬＭ２を供給する。そうすると、第２発光ステージＥＳＴ２１〜ＥＳＴ２ｊは、第２幅Ｗ２の発光制御信号を、第２発光制御線Ｅ２１〜Ｅ２ｊに順に供給する。
【０１５４】
一方、図９では、２つの表示領域１１０、１２０に対応して２つの開始信号ＦＬＭ１、ＦＬＭ２が発光駆動部４００に供給されると説明したが、本願発明はこれに限定されない。例えば、表示パネル１００がｋ（ｋは２以上の自然数）個の表示領域に分割される場合、発光駆動部４００はｋ個の開始信号ＦＬＭ１、・・・ＦＬＭｋによって駆動されてもよい。
【０１５５】
図１０ａは、図９に示された発光駆動部の駆動方法の実施例を示す図である。図１０ａには、ＩＲ光源１３０が駆動されず、第１発光制御線Ｅ１１、Ｅ１２に第２幅Ｗ２の発光制御信号が供給される場合が図示されている。
【０１５６】
図１０ａを参照すると、タイミング制御部５００は、第２幅Ｗ２の第１開始信号ＦＬＭ１及び第２開始信号ＦＬＭ２を発光駆動部４００に供給する。ここで、第１開始信号ＦＬＭ１及び第２開始信号ＦＬＭ２の供給タイミングは、第１発光制御線Ｅ１１、Ｅ１２及び第２発光制御線Ｅ２１〜Ｅ２ｊに発光制御信号が順に供給されるように制御されてもよい。
【０１５７】
第２幅Ｗ２の第１開始信号ＦＬＭ１が供給されると、第１発光ステージＥＳＴ１１、ＥＳＴ１２は第１発光制御線Ｅ１１、Ｅ１２に第２幅Ｗ２の発光制御信号を順に供給する。
【０１５８】
第２幅Ｗ２に対応する第２開始信号ＦＬＭ２が供給されると、第２発光ステージＥＳＴ２１〜ＥＳＴ２ｊは第２発光制御線Ｅ２１〜Ｅ２ｊに第２幅Ｗ２の発光制御信号を順に供給する。そうすると、第１表示領域１１０及び第２表示領域１２０に所定輝度の映像が表示される。
【０１５９】
図１０ｂは、図９に示された発光駆動部の駆動方法の他の実施例を示す図である。図１０ｂには、第１発光制御線Ｅ１１、Ｅ１２に第１幅Ｗ１の発光制御信号が供給される場合が図示されている。
【０１６０】
図１０ｂを参照すると、タイミング制御部５００は、第１幅Ｗ１に対応する第１開始信号ＦＬＭ１及び第２幅Ｗ２に対応する第２開始信号ＦＬＭ２を供給する。
【０１６１】
第１開始信号ＦＬＭ１の供給を受けた第１発光ステージＥＳＴ１１、ＥＳＴ１２は、第１幅Ｗ１に対応する発光制御信号を第１発光制御線Ｅ１１、Ｅ１２に供給する。そうすると、第１発光制御線Ｅ１１、Ｅ１２と接続された第１画素ＰＸＬ１は、一フレーム期間の間非発光状態に設定される。
【０１６２】
第２開始信号ＦＬＭ２の供給を受けた第２発光ステージＥＳＴ２１〜ＥＳＴ２ｊは、第２幅Ｗ２に対応する発光制御信号を第２発光制御線Ｅ２１〜Ｅ２ｊに供給する。そうすると、第２発光制御線Ｅ２１〜Ｅ２ｊと接続された第２画素ＰＸＬ２は、データ信号に応じて所定の映像を表示する。
【０１６３】
図１０ｃは、図９に示された発光駆動部の駆動方法の他の実施例を示す図である。図１０ｃには、第１発光制御線Ｅ１１、Ｅ１２に第３幅Ｗ３の発光制御信号が供給される場合が図示されている。
【０１６４】
図１０ｃを参照すると、タイミング制御部５００は、第３幅Ｗ３に対応する第１開始信号ＦＬＭ１及び第２幅Ｗ２に対応する第２開始信号ＦＬＭ２を供給する。
【０１６５】
第１開始信号ＦＬＭ１の供給を受けた第１発光ステージＥＳＴ１１、ＥＳＴ１２は、第３幅Ｗ３に対応する発光制御信号を第１発光制御線Ｅ１１、Ｅ１２に供給する。
【０１６６】
第２開始信号ＦＬＭ２の供給を受けた第２発光ステージＥＳＴ２１〜ＥＳＴ２ｊは、第２幅Ｗ２に対応する発光制御信号を第２発光制御線Ｅ２１〜Ｅ２ｊに供給する。そうすると、第２発光制御線Ｅ２１〜Ｅ２ｊと接続された第２画素ＰＸＬ２は、データ信号に応じて所定の映像を表示する。
【０１６７】
図１１は、図３に示された発光駆動部の他の実施例を示す図である。
【０１６８】
図１１を参照すると、本発明の他の実施例による発光駆動部４００は、第１発光ステージＥＳＴ１１、ＥＳＴ１２及び第２発光ステージＥＳＴ２１〜ＥＳＴ２ｊを備える。
【０１６９】
第１発光ステージＥＳＴ１１、ＥＳＴ１２は、第１発光制御線Ｅ１１、Ｅ１２のそれぞれと接続される。この第１発光ステージＥＳＴ１１、ＥＳＴ１２は、第１開始信号ＦＬＭ１によって駆動される。即ち、最初の第１発光ステージＥＳＴ１１は、第１開始信号ＦＬＭ１に応じて発光制御信号を出力する。そして、二番目の第１発光ステージＥＳＴ１２は、最初の第１発光ステージＥＳＴ１１の出力信号（即ち、発光制御信号）に応じて発光制御信号を出力する。
【０１７０】
第２発光ステージＥＳＴ２１〜ＥＳＴ２ｊは、第２発光制御線Ｅ２１〜Ｅ２ｊのそれぞれと接続される。この第２発光ステージＥＳＴ２１〜ＥＳＴ２ｊは、第２開始信号ＦＬＭ２に応じて駆動される。即ち、最初の第２発光ステージＥＳＴ２１は、第２開始信号ＦＬＭ２に応じて発光制御信号を出力し、残りの第２発光ステージＥＳＴ２２〜ＥＳＴ２ｊは、前段の第２発光ステージＥＳＴ２の出力信号の供給を受けて発光制御信号を出力する。
【０１７１】
タイミング制御部５００は、ＩＲ光源１３０が駆動されない場合、第２幅Ｗ２に対応する第１開始信号ＦＬＭ１及び第２開始信号ＦＬＭ２を供給する。この場合、第１発光ステージＥＳＴ１１、ＥＳＴ１２及び第２発光ステージＥＳＴ２１〜ＥＳＴ２ｊは、第１発光制御線Ｅ１１、Ｅ１２及び第２発光制御線Ｅ２１〜Ｅ２ｊに発光制御信号を順に供給する。
【０１７２】
また、タイミング制御部５００は、ＩＲ光源１３０が駆動される場合、図１２ａ及び図１２ｂに示されたように第２幅Ｗ２に対応する第２開始信号ＦＬＭ２を供給する。この場合、第２発光ステージＥＳＴ２１〜ＥＳＴ２ｊは、第２発光制御線Ｅ２１〜Ｅ２ｊに発光制御信号を順に供給する。また、タイミング制御部５００は、ＩＲ光源１３０が駆動される場合、第１開始信号ＦＬＭ１を供給しない。
【０１７３】
一方、本発明の他の実施例による発光駆動部４００は、第１発光制御線Ｅ１１、Ｅ１２のそれぞれと基準電源Ｖｒｅｆとの間に接続される第１スイッチＳＷ１をさらに備える。ここで、基準電源Ｖｒｅｆは、第１画素ＰＸＬ１に含まれたトランジスタ、例えば、発光制御トランジスタＭＥがターンオフできる電圧に設定される。
【０１７４】
第１スイッチＳＷ１は、タイミング制御部５００の制御に応じてターンオンまたはターンオフされる。この第１スイッチＳＷ１は、ＩＲ光源１３０が駆動される期間の間ターンオン状態に設定される。第１スイッチＳＷ１がターンオンされると、第１発光制御線Ｅ１１〜Ｅ１２に基準電源Ｖｒｅｆの電圧が供給される。第１発光制御線Ｅ１１〜Ｅ１２に基準電源Ｖｒｅｆの電圧が供給されると、第１画素ＰＸＬ１に含まれた発光制御トランジスタＭＥがターンオフ状態に設定されるため、第１画素ＰＸＬ１が非発光状態に設定される。
【０１７５】
さらに、タイミング制御部５００は、図１２ａに示されたように、一フレーム１Ｆ期間の間、第１スイッチＳＷ１をターンオンさせることができる。この場合、ＩＲ光源１３０は一フレーム１Ｆ期間の間駆動される。
【０１７６】
また、タイミング制御部５００は、一フレーム１Ｆ期間のうち第１期間Ｔ１の間第１スイッチＳＷ１をターンオンさせ、第２期間Ｔ２の間第１スイッチＳＷ１をターンオフさせることができる。そうすると、ＩＲ光源１３０は第１期間Ｔ１の間駆動され、第２期間Ｔ２の間は駆動されない。
【０１７７】
図１３ａは、ＩＲ光源が駆動されないときに表示装置に表示される映像の実施例を示す図である。
【０１７８】
図１３ａを参照すると、ＩＲ光源１３０が駆動されない場合、第１表示領域１１０に位置した第１画素ＰＸＬ１及び第２表示領域１２０に位置した第２画素ＰＸＬ２は、データ信号に応じて所定の映像を表示する。このような本発明の実施例では、ＩＲ光源１３０を画素領域ＡＡに配置することにより、デッドスペースを最小化することができる。
【０１７９】
また、ＩＲ光源１３０が一フレーム１Ｆ期間のうち第１期間Ｔ１に駆動される場合も、第１表示領域１１０には所定の映像が表示される。
【０１８０】
図１３ｂは、ＩＲ光源が一フレーム期間の間駆動されるときに表示装置に表示される映像の実施例を示す図である。
【０１８１】
図１３ｂを参照すると、ＩＲ光源１３０が近接センサに含まれる場合、通話が行われる間ＩＲ光源１３０が駆動される。ＩＲ光源１３０が駆動される場合、第１表示領域１１０に位置する第１画素ＰＸＬ１は非発光状態に設定される。また、第２表示領域１２０に位置する第２画素ＰＸＬ２はＩＲ光源１３０に関わらず、データ信号に応じて所定の映像を表示する。
【０１８２】
一方、第１画素ＰＸＬ１が非発光状態に設定されると、ＩＲ光源１３０が駆動されるとき、第１表示領域１１０で異常発光現象が生じることを防ぐことができる。即ち、本発明の実施例では、ＩＲ光源１３０が駆動されるとき第１表示領域１１０を非発光状態に設定することで、表示品質を向上させることができる。
【０１８３】
図１４は、図１ｂのパネルを含む表示装置の実施例を示す図である。図１４を説明する際、図３と機能的に類似する構成については、同じ符号を付する。
【０１８４】
図１４を参照すると、本発明の実施例による表示装置は、走査駆動部２００、データ駆動部３００、発光駆動部４００’、及びタイミング制御部５００を備える。
【０１８５】
第１画素ＰＸＬ１は、走査線Ｓｎ−１、Ｓｎ、第１発光制御線Ｅ１１、Ｅ１２、及びデータ線Ｄ１〜Ｄｍと接続されるように第１表示領域１１０に配置される。このような第１画素ＰＸＬ１は、走査線Ｓｎ−１、Ｓｎから走査信号が供給されるとき、データ線Ｄ１〜Ｄｍからデータ信号の供給を受ける。データ信号の供給を受けた第１画素ＰＸＬ１は、第１電源ＥＬＶＤＤから有機発光ダイオードＯＬＥＤを経由して第２電源ＥＬＶＳＳに流れる電流量を制御する。このような第１画素ＰＸＬ１は、第１発光制御線Ｅ１１、Ｅ１２から供給される発光制御信号に応じて発光時間が制御される。
【０１８６】
第１画素ＰＸＬ１は、ＩＲ光源１３０が駆動される期間の間非発光状態に設定される。このため、発光駆動部４００’は、ＩＲ光源１３０が駆動される期間の間第１画素ＰＸＬ１が非発光状態に設定されるように第１発光制御線Ｅ１１、Ｅ１２に発光制御信号を供給する。
【０１８７】
例えば、発光駆動部４００’は、ＩＲ光源１３０の駆動に応じて一フレーム１Ｆ期間のうち第１期間Ｔ１の間第１画素ＰＸＬ１が非発光状態に設定されるように第１発光制御線Ｅ１１、Ｅ１２に発光制御信号を供給することができる。
【０１８８】
また、発光駆動部４００は、ＩＲ光源１３０の駆動に応じて一フレーム１Ｆ期間の間第１画素ＰＸＬ１が発光しないように第１発光制御線Ｅ１１、Ｅ１２に発光制御信号を供給することができる。
【０１８９】
一方、図１４では、説明の便宜のため、第１画素ＰＸＬ１が二つの水平ラインに配置されたものが図示されているが、本発明はこれに限定されない。例えば、第１画素ＰＸＬ１は、少なくとも１つの水平ラインに配置されてもよく、第１画素ＰＸＬ１の配置に応じて第１表示領域１１０に形成される走査線Ｓｎ−１、Ｓｎ及び第１発光制御線Ｅ１１、Ｅ１２の数が変更されてもよい。
【０１９０】
第２画素ＰＸＬ２は、走査線Ｓ１、Ｓ２、・・・、第２発光制御線Ｅ２１、Ｅ２２、・・・、及びデータ線Ｄ１〜Ｄｍと接続されるように第２表示領域１２０に配置される。このような第２画素ＰＸＬ２は、走査線Ｓ１、Ｓ２、・・・に走査信号が供給されるとき、データ線Ｄ１〜Ｄｍからデータ信号の供給を受ける。データ信号の供給を受けた第２画素ＰＸＬ２は、第１電源ＥＬＶＤＤから有機発光ダイオードＯＬＥＤを経由して第２電源ＥＬＶＳＳに流れる電流量を制御する。このような第２画素ＰＸＬ２は、第２発光制御線Ｅ２１、Ｅ２２、・・・から供給される発光制御信号に応じて発光時間が制御される。
【０１９１】
走査駆動部２００は、タイミング制御部５００からのゲート制御信号ＧＣＳに応じて走査線Ｓ１〜Ｓｎに走査信号を供給する。例えば、走査駆動部２００は、走査線Ｓ１〜Ｓｎに走査信号を順に供給することができる。走査線Ｓ１〜Ｓｎに走査信号が順に供給されると、水平ライン単位で第２画素ＰＸＬ２及び第１画素ＰＸＬ１が順に選択される。
【０１９２】
発光駆動部４００’は、タイミング制御部５００からのエミッション制御信号ＥＣＳに応じて第２発光制御線Ｅ２１、Ｅ２２、・・・及び第１発光制御線Ｅ１１、Ｅ１２に発光制御信号を供給する。例えば、発光駆動部４００’は、第２発光制御線Ｅ２１、Ｅ２２、・・・及び第１発光制御線Ｅ１１、Ｅ１２に発光制御信号を順に供給してもよい。
【０１９３】
ＩＲ光源１３０が駆動されない期間の間、発光駆動部４００’は第２幅Ｗ２の発光制御信号を第１発光制御線Ｅ１１、Ｅ１２及び第２発光制御線Ｅ２１、Ｅ２２、・・・に順に供給することができる。
【０１９４】
また、発光駆動部４００’は、ＩＲ光源１３０が駆動される期間の間、第１幅Ｗ１の発光制御信号を第１発光制御線Ｅ１１、Ｅ１２に供給してもよい。第１幅Ｗ１の発光制御信号が供給されると、第１画素ＰＸＬ１は一フレーム期間の間非発光状態に設定されうる。
【０１９５】
また、発光駆動部４００’は、ＩＲ光源１３０の駆動に応じて第３幅Ｗ３の発光制御信号を第１発光制御線Ｅ１１、Ｅ１２に供給してもよい。第３幅Ｗ３の発光制御信号は、第１表示領域１００に位置した第１画素ＰＸＬ１が一フレーム１Ｆの第１期間の間発光しないように設定される。第３幅Ｗ３の発光制御信号の供給を受ける第１画素ＰＸＬ１は、一フレームの第１期間Ｔ１の間発光せず、第２期間Ｔ２の間データ信号に応じて駆動される。このとき、ＩＲ光源１３０は、一フレーム１Ｆの第１期間Ｔ１の間駆動される。
【０１９６】
データ駆動部３００は、データ制御信号ＤＣＳに応じてデータ線Ｄ１〜Ｄｍにデータ信号を供給する。データ線Ｄ１〜Ｄｍに供給されたデータ信号は、走査信号によって選択された画素ＰＸＬ１、ＰＸＬ２に供給される。
【０１９７】
タイミング制御部５００は、外部から供給されるタイミング信号に基づいてゲート制御信号ＧＣＳ、エミッション制御信号ＥＣＳ、及びデータ制御信号ＤＣＳを生成する。タイミング制御部５００で生成されたゲート制御信号ＧＣＳは走査駆動部２００に供給され、エミッション制御信号ＥＣＳは発光駆動部４００’に供給される。また、タイミング制御部５００で生成されたデータ制御信号ＤＣＳは、データ駆動部３００に供給される。
【０１９８】
図１５は、図１４に示された発光駆動部の実施例を示す図である。図１５の発光駆動部は、発光ステージの位置のみが変更されるだけで実質的な構成は図９の発光駆動部と同一である。従って、発光ステージの動作過程は簡単に説明する。
【０１９９】
図１５を参照すると、本発明の実施例による発光駆動部４００’は、第１発光ステージＥＳＴ１１、ＥＳＴ１２及び第２発光ステージＥＳＴ２１、ＥＳＴ２２、・・・を備える。
【０２００】
第１発光ステージＥＳＴ１１、ＥＳＴ１２は、第１発光制御線Ｅ１１、Ｅ１２のそれぞれと接続される。この第１発光ステージＥＳＴ１１、ＥＳＴ１２は、第１開始信号ＦＬＭ１によって駆動される。即ち、最初の第１発光ステージＥＳＴ１１は、第１開始信号ＦＬＭ１に応じて発光制御信号は出力する。そして、二番目の第１発光ステージＥＳＴ１２は、第１発光ステージＥＳＴ１１の出力信号（即ち、発光制御信号）の供給を受け、供給された出力信号に応じて発光制御信号を出力する。
【０２０１】
さらに、第１発光ステージＥＳＴ１１、ＥＳＴ１２から供給される発光制御信号の幅は、第１開始信号ＦＬＭ１に応じて決まる。即ち、第１幅Ｗ１の第１開始信号ＦＬＭ１が供給される場合、第１発光制御線Ｅ１１、Ｅ１２には第１幅Ｗ１の発光制御信号が供給される。また、第２幅Ｗ２の第１開始信号ＦＬＭ１が供給される場合、第１発光制御線Ｅ１１、Ｅ１２には第２幅Ｗ２の発光制御信号が供給される。同様に、第３幅Ｗ３の第１開始信号ＦＬＭ１が供給される場合、第１発光制御線Ｅ１１、Ｅ１２には第３幅Ｗ３の発光制御信号が供給される。
【０２０２】
第２発光ステージＥＳＴ２１、ＥＳＴ２２、・・・は、第２発光制御線Ｅ２１、Ｅ２２、・・・のそれぞれと接続される。この第２発光ステージＥＳＴ２１、ＥＳＴ２２、・・・は、第２開始信号ＦＬＭ２に応じて駆動される。即ち、最初の第２発光ステージＥＳＴ２１は、第２開始信号ＦＬＭ２に応じて発光制御信号を出力し、残りの第２発光ステージＥＳＴ２２、・・・は、前段の第２発光ステージの出力信号の供給を受けて発光制御信号を出力する。
【０２０３】
図１６は、図１４に示された発光駆動部の他の実施例を示す図である。図１６の発光駆動部は、発光ステージの位置のみが変更されるだけで実質的な構成は図１１の発光駆動部と同一である。従って、発光ステージの動作過程は簡単に説明する。
【０２０４】
図１６を参照すると、本発明の他の実施例による発光駆動部４００’は、第１発光ステージＥＳＴ１１、ＥＳＴ１２及び第２発光ステージＥＳＴ２１、ＥＳＴ２２、・・・を備える。
【０２０５】
第１発光ステージＥＳＴ１１、ＥＳＴ１２は、第１発光制御線Ｅ１１、Ｅ１２のそれぞれと接続される。この第１発光ステージＥＳＴ１１、ＥＳＴ１２は、第１開始信号ＦＬＭ１によって駆動される。
【０２０６】
第２発光ステージＥＳＴ２１、ＥＳＴ２２、・・・は、第２発光制御線Ｅ２１、Ｅ２２、・・・のそれぞれと接続される。この第２発光ステージＥＳＴ２１、ＥＳＴ２２、・・・は、第２開始信号ＦＬＭ２に応じて駆動される。
【０２０７】
タイミング制御部５００は、ＩＲ光源１３０が駆動されない場合、第２幅Ｗ２に対応する第１開始信号ＦＬＭ１及び第２開始信号ＦＬＭ２を供給する。この場合、第１発光ステージＥＳＴ１１、ＥＳＴ１２及び第２発光ステージＥＳＴ２１、ＥＳＴ２２、・・・は、第２発光制御線Ｅ２１、Ｅ２２、・・・及び第１発光制御線Ｅ１１、Ｅ１２に発光制御信号を順に供給する。
【０２０８】
また、タイミング制御部５００は、ＩＲ光源１３０が駆動される場合、図１２ａ及び図１２ｂに示されたように、第２幅Ｗ２に対応する第２開始信号ＦＬＭ２を供給する。この場合、第２発光ステージＥＳＴ２１、ＥＳＴ２２、・・・は、第２発光制御線Ｅ２１、Ｅ２２、・・・に発光制御信号を順に供給する。また、タイミング制御部５００は、ＩＲ光源１３０が駆動される場合、第１開始信号ＦＬＭ１を供給しない。
【０２０９】
一方、本発明の他の実施例による発光駆動部４００’は、第１発光制御線Ｅ１１、Ｅ１２のそれぞれと基準電源Ｖｒｅｆとの間に接続される第１スイッチＳＷ１をさらに備える。
【０２１０】
第１スイッチＳＷ１は、タイミング制御部５００の制御に応じてターンオンまたはターンオフされる。この第１スイッチＳＷ１は、ＩＲ光源１３０が駆動される期間の間ターンオン状態に設定される。第１スイッチＳＷ１がターンオンされると、第１発光制御線Ｅ１１、Ｅ１２に基準電源Ｖｒｅｆの電圧が供給される。第１発光制御線Ｅ１１、Ｅ１２に基準電源Ｖｒｅｆの電圧が供給されると、第１画素ＰＸＬ１に含まれた発光制御トランジスタＭＥがターンオフ状態に設定されるため、第１画素ＰＸＬ１が非発光状態に設定される。
【０２１１】
さらに、タイミング制御部５００は、図１２ａに示すように、一フレーム１Ｆ期間の間第１スイッチＳＷ１をターンオンさせることができる。この場合、ＩＲ光源１３０は一フレーム１Ｆ期間の間駆動される。
【０２１２】
また、タイミング制御部５００は、一フレーム１Ｆ期間のうち第１期間Ｔ１の間第１スイッチＳＷ１をターンオンさせ、第２期間Ｔ２の間第１スイッチＳＷ１をターンオフさせることができる。そうすると、ＩＲ光源１３０は第１期間Ｔ１の間駆動され、第２期間Ｔ２の間駆動されない。
【０２１３】
図１７は、ＩＲ光源がフレーム期間の間駆動されるときに表示装置に表示される映像の実施例を示す図である。
【０２１４】
図１７を参照すると、ＩＲ光源１３０が指紋センサに含まれる場合、指紋センサが動作するときＩＲ光源１３０が駆動される。ＩＲ光源１３０が駆動される場合、第１表示領域１１０に位置する第１画素ＰＸＬ１は非発光状態に設定される。そして、第２表示領域１２０に位置する第２画素ＰＸＬ２は、ＩＲ光源１３０に関わらず、データ信号に応じて所定の映像を表示する。
【０２１５】
一方、第１画素ＰＸＬ１が非発光状態に設定されると、ＩＲ光源１３０が駆動されるとき第１表示領域１１０で異常発光現象が生じることを防ぐことができる。即ち、本発明の実施例では、ＩＲ光源１３０が駆動されるとき、第１表示領域１１０を非発光状態に設定することにより、表示品質を向上させることができる。
【０２１６】
図１８は、図２のパネルを含む表示装置の実施例を示す図である。図１８を説明する際、図３と機能的に類似する構成については、同じ符号を付する。
【０２１７】
図１８を参照すると、本発明の実施例による表示装置は、走査駆動部２００、データ駆動部３００、発光駆動部４００”、及びタイミング制御部５００を備える。
【０２１８】
第１画素ＰＸＬ１は、走査線Ｓ３、Ｓ４、第１発光制御線Ｅ１１、Ｅ１２、及びデータ線Ｄ１〜Ｄｍと接続されるように第１表示領域１１０’に配置される。この第１画素ＰＸＬ１は、走査線Ｓ３、Ｓ４から走査信号が供給されるときデータ線Ｄ１〜Ｄｍからデータ信号の供給を受ける。データ信号の供給を受けた第１画素ＰＸＬ１は、第１電源ＥＬＶＤＤから有機発光ダイオードＯＬＥＤを経由して第２電源ＥＬＶＳＳに流れる電流量を制御する。このような第１画素ＰＸＬ１は、第１発光制御線Ｅ１１、Ｅ１２から供給される発光制御信号に応じて発光時間が制御される。
【０２１９】
第１画素ＰＸＬ１は、ＩＲ光源１３０が駆動される期間の間非発光状態に設定される。このため、発光駆動部４００’’は、ＩＲ光源１３０が駆動される期間の間第１画素ＰＸＬ１が非発光状態に設定されるように第１発光制御線Ｅ１１、Ｅ１２に発光制御信号を供給する。
【０２２０】
一方、図１８では、説明の便宜のため、第１画素ＰＸＬ１が二つの水平ラインに配置されたものを図示したが、本発明はこれに限定されない。例えば、第１画素ＰＸＬ１は、少なくとも１つの水平ラインに配置されてもよく、第１画素ＰＸＬ１の配置に応じて第１表示領域１１０’に形成される走査線Ｓ３、Ｓ４及び第１発光制御線Ｅ１１、Ｅ１２の数が変更されてもよい。
【０２２１】
第２画素ＰＸＬ２は、走査線Ｓ５〜Ｓｎ、第２発光制御線Ｅ２１〜Ｅ２ｉ（ｉはｎより小さい自然数）、及びデータ線Ｄ１〜Ｄｍと接続されるように第２表示領域１２０’に配置される。この第２画素ＰＸＬ２は、走査線Ｓ５〜Ｓｎに走査信号が供給されるときデータ線Ｄ１〜Ｄｍからデータ信号の供給を受ける。データ信号の供給を受けた第２画素ＰＸＬ２は、第１電源ＥＬＶＤＤから有機発光ダイオードＯＬＥＤを経由して第２電源ＥＬＶＳＳに流れる電流量を制御する。この第２画素ＰＸＬ２は、第２発光制御線Ｅ２１〜Ｅ２ｉから供給される発光制御信号に応じて発光時間が制御される。
【０２２２】
第３画素ＰＸＬ３は、走査線Ｓ１、Ｓ２、第３発光制御線Ｅ３１、Ｅ３２、及びデータ線Ｄ１〜Ｄｍと接続されるように第３表示領域１２２に配置される。この第３画素ＰＸＬ３は、走査線Ｓ１、Ｓ２から走査信号が供給されるときデータ線Ｄ１〜Ｄｍからデータ信号の供給を受ける。データ信号の供給を受けた第３画素ＰＸＬ３は、第１電源ＥＬＶＤＤから有機発光ダイオードＯＬＥＤを経由して第２電源ＥＬＶＳＳに流れる電流量を制御する。この第３画素ＰＸＬ３は、第３発光制御線Ｅ３１、Ｅ３２から供給される発光制御信号に応じて発光時間が制御される。さらに、第３画素ＰＸＬ３は、第１画素ＰＸＬ１と同じ回路構造に設定されてもよい。例えば、第３画素ＰＸＬ３は、図４、図６ａ、図６ｂ及び図７のような回路構造に設定されてもよい。
【０２２３】
一方、図１８では、説明の便宜のため、第３画素ＰＸＬ３が二つの水平ラインに配置されたものを図示したが、本発明はこれに限定されない。例えば、第３画素ＰＸＬ３は、少なくとも１つの水平ラインに配置されてもよく、第３画素ＰＸＬ３の配置に応じて第３表示領域１２２に形成される走査線Ｓ１、Ｓ２及び第３発光制御線Ｅ３１、Ｅ３２の数が変更されてもよい。
【０２２４】
走査駆動部２００は、タイミング制御部５００からのゲート制御信号ＧＣＳに応じて走査線Ｓ１〜Ｓｎに走査信号を供給する。例えば、走査駆動部２００は、走査線Ｓ１〜Ｓｎに走査信号を順に供給することができる。走査線Ｓ１〜Ｓｎに走査信号が順に供給されると、水平ライン単位で第３画素ＰＸＬ３、第１画素ＰＸＬ１及び第２画素ＰＸＬ２が順に選択される。
【０２２５】
発光駆動部４００’’は、タイミング制御部５００からのエミッション制御信号ＥＣＳに応じて第３発光制御線Ｅ３１、Ｅ３２、第１発光制御線Ｅ１１、Ｅ１２、及び第２発光制御線Ｅ２１〜Ｅ２ｉに発光制御信号を順に供給することができる。
【０２２６】
ＩＲ光源１３０が駆動されない期間の間、発光駆動部４００”は、第２幅Ｗ２の発光制御信号を第３発光制御線Ｅ３１、Ｅ３２、第１発光制御線Ｅ１１、Ｅ１２、及び第２発光制御線Ｅ２１〜Ｅ２ｉに順に供給することができる。第３発光制御線Ｅ３１、Ｅ３２、第１発光制御線Ｅ１１、Ｅ１２、及び第２発光制御線Ｅ２１〜Ｅ２ｉに第２幅Ｗ２の発光制御信号が供給されると、画素ＰＸＬ１、ＰＸＬ２、ＰＸＬ３はデータ信号に応じて所定の映像を表示する。
【０２２７】
また、発光駆動部４００”は、ＩＲ光源１３０が駆動される期間の間、第１幅Ｗ１の発光制御信号を第１発光制御線Ｅ１１、Ｅ１２に供給することができる。第１幅Ｗ１の発光制御信号が供給されると、第１画素ＰＸＬ１は、一フレーム期間の間非発光状態に設定されうる。
【０２２８】
また、発光駆動部４００”は、ＩＲ光源１３０の駆動に応じて第３幅Ｗ３の発光制御信号を第１発光制御線Ｅ１１、Ｅ１２に供給することができる。第３幅Ｗ３の発光制御信号は、第１表示領域１００に位置した第１画素ＰＸＬ１が一フレーム１Ｆの第１期間の間発光しないように設定される。第３幅Ｗ３の発光制御信号の供給を受ける第１画素ＰＸＬ１は、一フレームの第１期間Ｔ１の間発光せず、第２期間Ｔ２の間データ信号に応じて駆動される。このとき、ＩＲ光源１３０は、一フレーム１Ｆの第１期間Ｔ１の間駆動される。
【０２２９】
さらに、発光駆動部４００”は、ＩＲ光源１３０が駆動される期間の間、第２幅Ｗ２の発光制御信号を第３発光制御線Ｅ３１、Ｅ３２及び第２発光制御線Ｅ２１〜Ｅ２ｉに供給する。
【０２３０】
データ駆動部３００は、データ制御信号ＤＣＳに応じてデータ線Ｄ１〜Ｄｍにデータ信号を供給する。データ線Ｄ１〜Ｄｍに供給されたデータ信号は、走査信号によって選択された画素ＰＸＬ１、ＰＸＬ２、ＰＸＬ３に供給される。
【０２３１】
タイミング制御部５００は、外部から供給されるタイミング信号に基づいてゲート制御信号ＧＣＳ、エミッション制御信号ＥＣＳ、及びデータ制御信号ＤＣＳを生成する。タイミング制御部５００で生成されたゲート制御信号ＧＣＳは走査駆動部２００に供給され、エミッション制御信号ＥＣＳは発光駆動部４００”に供給される。そして、タイミング制御部５００で生成されたデータ制御信号ＤＣＳはデータ駆動部３００に供給される。
【０２３２】
図１９は、図１８に示された発光駆動部の実施例を示す図である。
【０２３３】
図１９を参照すると、本発明の実施例による発光駆動部４００”は、第１発光ステージＥＳＴ１１、ＥＳＴ１２、第２発光ステージＥＳＴ２１〜ＥＳＴ２ｉ、及び第３発光ステージＥＳＴ３１、ＥＳＴ３２を備える。
【０２３４】
第１発光ステージＥＳＴ１１、ＥＳＴ１２は、第１発光制御線Ｅ１１、Ｅ１２のそれぞれと接続される。この第１発光ステージＥＳＴ１１、ＥＳＴ１２は、第１開始信号ＦＬＭ１によって駆動される。
【０２３５】
第２発光ステージＥＳＴ２１〜ＥＳＴ２ｉは、第２発光制御線Ｅ２１〜Ｅ２ｉのそれぞれと電気的に接続される。この第２発光ステージＥＳＴ２１〜ＥＳＴ２ｉは、第２開始信号ＦＬＭ２によって駆動される。
【０２３６】
第３発光ステージＥＳＴ３１、ＥＳＴ３２は、第３発光制御線Ｅ３１、Ｅ３２のそれぞれと電気的に接続される。この第３発光ステージＥＳＴ３１、ＥＳＴ３２は、第３開始信号ＦＬＭ３によって駆動される。
【０２３７】
ＩＲ光源１３０が駆動されない場合、タイミング制御部５００は、第３発光制御線Ｅ３１、Ｅ３２、第１発光制御線Ｅ１１、Ｅ１２及び第２発光制御線Ｅ２１〜Ｅ２ｉに発光制御信号が順に供給されるように第３開始信号ＦＬＭ３、第１開始信号ＦＬＭ１、及び第２開始信号ＦＬＭ２を順に供給する。このとき、第１開始信号ＦＬＭ１乃至第３開始信号ＦＬＭ３は、第２幅Ｗ２に設定されてもよい。
【０２３８】
ＩＲ光源１３０が駆動される場合、タイミング制御部５００は、第３発光制御線Ｅ３１、Ｅ３２、第１発光制御線Ｅ１１、Ｅ１２、及び第２発光制御線Ｅ２１〜Ｅ２ｉに発光制御信号が順に供給されるように第３開始信号ＦＬＭ３、第１開始信号ＦＬＭ１、及び第２開始信号ＦＬＭ２を順に供給する。このとき、第３開始信号ＦＬＭ３及び第２開始信号ＦＬＭ２は第２幅Ｗ２に設定され、第１開始信号ＦＬＭ１は第１幅Ｗ１または第３幅Ｗ３に設定されてもよい。
【０２３９】
図２０は、図１８に示された発光駆動部の他の実施例を示す図である。図２１を参照すると、本発明の他の実施例による発光駆動部４００”は、第１発光ステージＥＳＴ１１、ＥＳＴ１２、第２発光ステージＥＳＴ２１〜ＥＳＴ２ｉ、及び第３発光ステージＥＳＴ３１、ＥＳＴ３２を備える。
【０２４０】
第１発光ステージＥＳＴ１１、ＥＳＴ１２は、第１発光制御線Ｅ１１、Ｅ１２のそれぞれと接続される。この第１発光ステージＥＳＴ１１、ＥＳＴ１２は、第１開始信号ＦＬＭ１によって駆動される。
【０２４１】
第２発光ステージＥＳＴ２１〜ＥＳＴ２ｉは、第２発光制御線Ｅ２１〜Ｅ２ｉのそれぞれと電気的に接続される。この第２発光ステージＥＳＴ２１〜ＥＳＴ２ｉは、第２開始信号ＦＬＭ２によって駆動される。
【０２４２】
第３発光ステージＥＳＴ３１、ＥＳＴ３２は、第３発光制御線Ｅ３１、Ｅ３２のそれぞれと電気的に接続される。この第３発光ステージＥＳＴ３１、ＥＳＴ３２は、第３開始信号ＦＬＭ３によって駆動される。
【０２４３】
ＩＲ光源１３０が駆動されない場合、タイミング制御部５００は、第３発光制御線Ｅ３１、Ｅ３２、第１発光制御線Ｅ１１、Ｅ１２、及び第２発光制御線Ｅ２１〜Ｅ２ｉに発光制御信号が順に供給されるように第３開始信号ＦＬＭ３、第１開始信号ＦＬＭ１、及び第２開始信号ＦＬＭ２を順に供給する。このとき、第１開始信号ＦＬＭ１乃至第３開始信号ＦＬＭ３は、第２幅Ｗ２に設定されてもよい。
【０２４４】
ＩＲ光源１３０が駆動される場合、タイミング制御部５００は、第３発光制御線Ｅ３１、Ｅ３２及び第２発光制御線Ｅ２１〜Ｅ２ｉに発光制御信号が順に供給されるように第３開始信号ＦＬＭ３及び第２開始信号ＦＬＭ２を順に供給する。このとき、第３開始信号ＦＬＭ３及び第２開始信号ＦＬＭ２は第２幅Ｗ２に設定される。
【０２４５】
一方、本発明の他の実施例による発光駆動部４００”は、第１発光制御線Ｅ１１、Ｅ１２のそれぞれと基準電源Ｖｒｅｆとの間に接続される第１スイッチＳＷ１をさらに備える。
【０２４６】
第１スイッチＳＷ１は、タイミング制御部５００に制御に応じてターンオンまたはターンオフされる。この第１スイッチＳＷ１は、ＩＲ光源１３０が駆動される期間の間ターンオン状態に設定される。第１スイッチＳＷ１がターンオンされると、第１発光制御線Ｅ１１、Ｅ１２に基準電源Ｖｒｅｆの電圧が供給される。第１発光制御線Ｅ１１、Ｅ１２に基準電源Ｖｒｅｆの電圧が供給されると、第１画素ＰＸＬ１に含まれた発光制御トランジスタＭＥがターンオフ状態に設定されるため、第１画素ＰＸＬ１が非発光状態に設定される。第１スイッチＳＷ１は、一フレーム１Ｆ期間または一フレーム１Ｆのうち第１期間Ｔ１の間ターンオンされうる。
【０２４７】
図２１は、ＩＲ光源が一フレーム期間の間駆動されるときに表示装置に表示される映像の実施例を示す図である。
【０２４８】
図２１を参照すると、ＩＲ光源１３０は、自身が含まれるセンサが動作するとき駆動される。ＩＲ光源１３０が駆動される場合、第１表示領域１１０’に位置する第１画素ＰＸＬ１は、非発光状態に設定される。そして、第２表示領域１２０’に位置する第２画素ＰＸＬ２及び第３画素領域１２２に位置する第３画素ＰＸＬ３は、ＩＲ光源１３０に関わらず、データ信号に応じて所定の映像を表示する。
【０２４９】
第１画素ＰＸＬ１が非発光状態に設定されると、ＩＲ光源１３０が駆動されるときに第１表示領域１１０’で異常発光現象が生じることを防ぐことができる。即ち、本発明の実施例では、ＩＲ光源１３０が駆動されるときに第１表示領域１１０’を非発光状態に設定することにより、表示品質を向上させることができる。
【０２５０】
本発明の技術思想は上記好ましい実施例を参照して具体的に述べたが、上記した実施例はその説明のためのものであり、制限するためのものではないことに注意すべきである。また、本発明の技術分野の通常の知識を有する者であれば、本発明の技術思想の範囲内で多様な変形例が可能であることが理解できるだろう。
【０２５１】
上述した発明の権利範囲は添付の特許請求の範囲により定められるものであって、明細書の本文の記載に拘束されず、請求の範囲の均等な範囲に属する変形や変更はすべて本発明の範囲に属する。
【図１ａ】
2018032033.tif 000003
【図１ｂ】
2018032033.tif 000004
【図２】
2018032033.tif 000005
【図３】
2018032033.tif 000006
【図４】
2018032033.tif 000007
【図５ａ】
2018032033.tif 000008
【図５ｂ】
2018032033.tif 000009
【図５ｃ】
2018032033.tif 000010
【図６ａ】
2018032033.tif 000011
【図６ｂ】
2018032033.tif 000012
【図７】
2018032033.tif 000013
【図８ａ】
2018032033.tif 000014
【図８ｂ】
2018032033.tif 000015
【図８ｃ】
2018032033.tif 000016
【図９】
2018032033.tif 000017
【図１０ａ】
2018032033.tif 000018
【図１０ｂ】
2018032033.tif 000019
【図１０ｃ】
2018032033.tif 000020
【図１１】
2018032033.tif 000021
【図１２ａ】
2018032033.tif 000022
【図１２ｂ】
2018032033.tif 000023
【図１３ａ】
2018032033.tif 000024
【図１３ｂ】
2018032033.tif 000025
【図１４】
2018032033.tif 000026
【図１５】
2018032033.tif 000027
【図１６】
2018032033.tif 000028
【図１７】
2018032033.tif 000029
【図１８】
2018032033.tif 000030
【図１９】
2018032033.tif 000031
【図２０】
2018032033.tif 000032
【図２１】
2018032033.tif 000033